(57)【要約】【課題】複数の対象物から関連した対象物を検索する場合に、検索作業を簡略化することができる通信装置、タグ装置および情報通信システムを提供すること。【解決手段】操作者によりラベル名が入力（選択）されると、その入力された目的ラベル名またはその目的ラベル名に関連付け（上位層・下位層・同位相）されたラベル名を検索でき、それぞれを判別可能な表示状態が設定される（Ｓ１６４又はＳ１６５）。よって、複数のバインダー２（対象物）が関連付けされている場合であっても、目的ラベル名となるバインダー２と、その目的ラベル名に関連付けされたラベル名となるバインダー２とを検索することができる。従って、目的ラベル名となるバインダー２と関連付けされたラベル名となるバインダー２とを検索する場合に、複数回の検索をしなくて良いので、検索作業を簡略化することができる。【選択図】図１１
2008250705.tif 000002
【特許請求の範囲】
【請求項１】
対象物に装着されその対象物を特定する特定情報を記憶すると共に、外部から入力される表示を指示する表示データに基づいた画像を表示する表示部を備えたタグ装置と通信可能に構成された通信装置において、
検索対象となる対象物の特定情報を選択する選択手段と、
その選択手段により選択された前記所定の特定情報が記憶されたタグ装置または前記所定の特定情報と関連する特定情報が記憶された他のタグ装置に、前記表示データを送信する送信手段とを備えていることを特徴とする通信装置。
【請求項２】
前記選択手段により選択された特定情報と、前記送信手段により前記表示データが送信される送信先のタグ装置に記憶される特定情報との関連に応じて、その送信先のタグ装置の表示部で表示される画像の表示態様を設定する第１表示設定手段を備え、
前記送信手段は、前記第１表示設定手段により設定された表示データを前記送信先のタグ装置に送信することを特徴とする請求項１記載の通信装置。
【請求項３】
前記タグ装置には、自己のタグ装置に記憶される特定情報と、他のタグ装置に記憶される特定情報との関連を示す関連情報が予め記憶されており、
前記タグ装置に記憶される関連情報を取得する関連情報取得手段を備え、
前記送信手段は、前記選択手段により選択された特定情報と前記関連情報取得手段により関連情報を取得したタグ装置の特定情報とが前記関連情報により関連付けられている場合に、その関連情報を取得したタグ装置に対して前記表示データを送信することを特徴とする請求項１又は２に記載の通信装置。
【請求項４】
前記選択手段により選択された特定情報と、前記関連情報取得手段により関連情報を取得したタグ装置の特定情報との関連に応じた表示状態を、その取得した関連情報に基づいて設定する第２表示設定手段を備え、
前記送信手段は、前記第２表示設定手段により設定された表示データを、前記関連情報を取得したタグ装置に送信することを特徴とする請求項３記載の通信装置。
【請求項５】
前記関連情報は、自己のタグ装置の特定情報が、他のタグ装置の特定情報に対して上位層または下位層あるいは同位層であるかを示す情報であることを特徴とする請求項３又は４に記載の通信装置。
【請求項６】
前記関連情報は、自己のタグ装置の特定情報が他のタグ装置の特定情報に対して、上位層である場合には何階層上位であるか、下位層である場合には何階層下位であるかを示す情報であることを特徴とする請求項５記載の通信装置。
【請求項７】
前記タグ装置には、そのタグ装置が属するグループを特定するグループ情報が予め記憶されており、
所定のグループ情報を選択するグループ情報選択手段と、
前記タグ装置に記憶されるグループ情報を取得するグループ情報取得手段とを備え、
前記送信手段は、前記グループ情報選択手段により選択されたグループ情報と前記グループ情報取得手段により取得したグループ情報とが同一である場合に、そのグループ情報を取得したタグ装置に前記表示データを送信することを特徴とする請求項１から６のいずれかに記載の通信装置。
【請求項８】
前記送信手段は、
前記グループ情報選択手段により選択されたグループ情報と前記グループ情報取得手段により取得したグループ情報とが同一であり、且つ、前記選択手段により選択された特定情報と前記関連情報取得手段により関連情報を取得したタグ装置の特定情報とが前記関連情報により関連付けられている場合に、
前記グループ情報を取得したタグ装置および前記関連情報を取得したタグ装置に、前記表示データを送信することを特徴とする請求項７に記載の通信装置。
【請求項９】
前記タグ装置の表示部に前記表示データに基づいた画像を表示させる表示時間を設定する表示時間設定手段を備え、
前記送信手段は、前記表示時間設定手段により設定された画像の表示時間を指示する時間信号を、前記表示データと共に送信することを特徴とする請求項１から８のいずれかに記載の通信装置。
【請求項１０】
外部装置から、他のタグ装置の特定情報を少なくとも一つ以上取得する他タグ特定情報取得手段を備え、
前記選択手段は、前記他タグ特定情報取得手段により取得した特定情報から、前記検索対象となる対象物の特定情報を選択することを特徴とする請求項１から９のいずれかに記載の通信装置。
【請求項１１】
前記他タグ特定情報取得手段は、前記タグ装置からそのタグ装置が属するグループ内の他のタグ装置の特定情報を少なくとも一つ以上取得することを特徴とする請求項１０記載の通信装置。
【請求項１２】
前記選択手段は、操作者が手入力により入力した特定情報を、前記検索対象となる対象物の特定情報として選択することを特徴とする請求項１から１１のいずれかに記載の通信装置。
【請求項１３】
前記選択手段は、同時に複数の特定情報を選択するものであり、
前記送信手段は、前記選択手段により選択された複数の特定情報のうち少なくともいずれか一つが記憶されたタグ装置または前記選択手段により選択された複数の特定手段のうち少なくともいずれか一つと関連する特定情報が記憶された他のタグ装置に、前記表示データを送信することを特徴とする請求項１から１２のいずれかに記載の通信装置。
【請求項１４】
請求項１から１３のいずれかに記載の通信装置から送信される信号を受信する受信手段と、画像を表示する表示部とを備えたタグ装置において、
前記受信手段により受信された信号が、前記表示部に表示される画像の表示を指示する表示データであった場合に、その表示データに基づいた画像を前記表示部に表示させる表示実行手段を備えていることを特徴とするタグ装置。
【請求項１５】
前記表示実行手段により前記表示データに基づいた画像が前記表示部に表示されてから、所定時間が経過したか否かを判断する時間判断手段を備え、
前記表示実行手段は、前記表示データを受信した場合にその表示データに基づいた画像を前記表示部に表示すると共に、前記時間判断手段により所定時間が経過したと判断された場合に前記表示部の表示を通常状態に戻すことを特徴とする請求項１４記載のタグ装置。
【請求項１６】
前記通信装置は、前記表示データを送信する場合に操作される操作手段を備え、その操作手段が操作されているあいだ前記表示データを送信するものであり、
前記表示実行手段は、前記表示データを受信している間、その表示データに基づいた画像を前記表示部に表示することを特徴とする請求項１４記載のタグ装置。
【請求項１７】
請求項１から１３のいずれかに記載の通信装置と、請求項１４から１６のいずれかに記載のタグ装置とを備えていることを特徴とする情報通信システム。
【発明の詳細な説明】
【技術分野】
【０００１】
本発明は、通信装置、タグ装置および情報通信システムに関し、特に、複数の対象物から関連した対象物を検索する場合に、検索作業を簡略化することができる通信装置、タグ装置および情報通信システムに関する。
【背景技術】
【０００２】
特開２００３−３３１２３０号公報に開示されているように、各種画像データが記憶されたＣＤ−Ｒ、ＤＶＤや、そのＣＤ−Ｒ及びＤＶＤを収納したアルバムのそれぞれに、画像関連情報が記憶されたＩＣタグを貼付し、その画像関連情報を利用して所望のＣＤ−Ｒ、ＤＶＤ又はアルバムをパソコンで検索する画像検索システムが知られている。ＩＣタグに記憶される画像関連情報は、画像を検索する際の検索キーとなるものであり、画像を特定する情報などが記憶されている。ＣＤ−Ｒ、ＤＶＤやアルバム（以下「対象物」と称す）の検索は、パソコンで所定の検索情報を入力すると、ＩＣタグの画像関連情報が取得され、その取得された関連情報と検索情報とが比較され、その比較結果に基づいて所望の対象物の配置位置がパソコンの画面上に表示される。
【特許文献１】特開２００３−３３１２３０号公報
【発明の開示】
【発明が解決しようとする課題】
【０００３】
しかしながら、画像を特定するための画像関連情報が記憶されたＩＣタグを利用して対象物を検索する画像検索システムでは、複数の対象物がそれぞれ関連している場合、例えば、対象物が１巻から１０巻まである場合に３巻と７巻の配置位置を検索するためには、３巻に対応した検索情報を入力して３巻の配置位置を検索し、７巻に対応した検索情報を入力して７巻の配置位置を検索するので、検索する対象物の数分の検索を行わなければならず、検索の作業が煩雑となってしまうという問題点があった。
【０００４】
本発明は上述した問題点を解決するためになされたものであり、複数の対象物から関連した対象物を検索する場合に、検索作業を簡略化することができる通信装置、タグ装置および情報通信システムを提供することを目的としている。
【課題を解決するための手段】
【０００５】
この目的を達成するために請求項１記載の通信装置は、対象物に装着されその対象物を特定する特定情報を記憶すると共に、外部から入力される表示を指示する表示データに基づいた画像を表示する表示部を備えたタグ装置と通信可能に構成されており、検索対象となる対象物の特定情報を選択する選択手段と、その選択手段により選択された前記所定の特定情報が記憶されたタグ装置または前記所定の特定情報と関連する特定情報が記憶された他のタグ装置に、前記表示データを送信する送信手段とを備えている。
【０００６】
請求項２記載の通信装置は、請求項１記載の通信装置において、前記選択手段により選択された特定情報と、前記送信手段により前記表示データが送信される送信先のタグ装置に記憶される特定情報との関連に応じて、その送信先のタグ装置の表示部で表示される画像の表示態様を設定する第１表示設定手段を備え、前記送信手段は、前記第１表示設定手段により設定された表示データを前記送信先のタグ装置に送信する。
【０００７】
なお、第１表示設定手段によって関連に応じて設定される表示態様は、例えば、複数のタグ装置の表示部で表示される表示態様を、異なる図形や異なる文字列で表示して、タグ装置が装着された対象物のそれぞれを特定可能な表示態様としても良いし、図形や文字列を反転表示したり、その反転表示する場合の領域を変更したり、通常表示と反転表示との表示間隔を変更したり、図形や文字列の表示濃度を変更したり、その表示濃度を異ならせる領域を変更したり、通常濃度と異なる濃度とを反転する間隔を変更したり点滅もして、タグ装置が装着された対象物のそれぞれを特定可能な表示態様としても良い。
【０００８】
請求項３記載の通信装置は、請求項１又は２に記載の通信装置において、前記タグ装置には、自己のタグ装置に記憶される特定情報と、他のタグ装置に記憶される特定情報との関連を示す関連情報が予め記憶されており、前記タグ装置に記憶される関連情報を取得する関連情報取得手段を備え、前記送信手段は、前記選択手段により選択された特定情報と前記関連情報取得手段により関連情報を取得したタグ装置の特定情報とが前記関連情報により関連付けられている場合に、その関連情報を取得したタグ装置に対して前記表示データを送信する。
【０００９】
請求項４記載の通信装置は、請求項３記載の通信装置において、前記選択手段により選択された特定情報と、前記関連情報取得手段により関連情報を取得したタグ装置の特定情報との関連に応じた表示状態を、その取得した関連情報に基づいて設定する第２表示設定手段を備え、前記送信手段は、前記第２表示設定手段により設定された表示データを、前記関連情報を取得したタグ装置に送信する。
【００１０】
請求項５記載の通信装置は、請求項３又は４に記載の通信装置において、前記関連情報は、自己のタグ装置の特定情報が、他のタグ装置の特定情報に対して上位層または下位層あるいは同位層であるかを示す情報である。
【００１１】
請求項６記載の通信装置は、請求項５記載の通信装置において、前記関連情報は、自己のタグ装置の特定情報が他のタグ装置の特定情報に対して、上位層である場合には何階層上位であるか、下位層である場合には何階層下位であるかを示す情報である。
【００１２】
請求項７記載の通信装置は、請求項１から６のいずれかに記載の通信装置において、前記タグ装置には、そのタグ装置が属するグループを特定するグループ情報が予め記憶されており、所定のグループ情報を選択するグループ情報選択手段と、前記タグ装置に記憶されるグループ情報を取得するグループ情報取得手段とを備え、前記送信手段は、前記グループ情報選択手段により選択されたグループ情報と前記グループ情報取得手段により取得したグループ情報とが同一である場合に、そのグループ情報を取得したタグ装置に前記表示データを送信する。
【００１３】
請求項８記載の通信装置は、請求項７記載の通信装置において、前記送信手段は、前記グループ情報選択手段により選択されたグループ情報と前記グループ情報取得手段により取得したグループ情報とが同一であり、且つ、前記選択手段により選択された特定情報と前記関連情報取得手段により関連情報を取得したタグ装置の特定情報とが前記関連情報により関連付けられている場合に、前記グループ情報を取得したタグ装置および前記関連情報を取得したタグ装置に、前記表示データを送信する。
【００１４】
請求項９記載の通信装置は、請求項１から８のいずれかに記載の通信装置において、前記タグ装置の表示部に前記表示データに基づいた画像を表示させる表示時間を設定する表示時間設定手段を備え、
前記送信手段は、前記表示時間設定手段により設定された画像の表示時間を指示する時間信号を、前記表示データと共に送信する。
【００１５】
請求項１０記載の通信装置は、請求項１から９のいずれかに記載の通信装置において、外部装置から、他のタグ装置の特定情報を少なくとも一つ以上取得する他タグ特定情報取得手段を備え、前記選択手段は、前記他タグ特定情報取得手段により取得した特定情報から、前記検索対象となる対象物の特定情報を選択する。
【００１６】
請求項１１記載の通信装置は、請求項１０記載の通信装置において、前記他タグ特定情報取得手段は、前記タグ装置からそのタグ装置が属するグループ内の他のタグ装置の特定情報を少なくとも一つ以上取得することを特徴とする請求項１０記載の通信装置。
【００１７】
請求項１２記載の通信装置は、請求項１から１１のいずれかに記載の通信装置において、前記選択手段は、操作者が手入力により入力した特定情報を、前記検索対象となる対象物の特定情報として選択する。
【００１８】
請求項１３記載の通信装置は、請求項１から１２のいずれかに記載の通信装置において、前記選択手段は、同時に複数の特定情報を選択するものであり、前記送信手段は、前記選択手段により選択された複数の特定情報のうち少なくともいずれか一つが記憶されたタグ装置または前記選択手段により選択された複数の特定手段のうち少なくともいずれか一つと関連する特定情報が記憶された他のタグ装置に、前記表示データを送信する。
【００１９】
請求項１４記載のタグ装置は、請求項１から１３のいずれかに記載の通信装置から送信される信号を受信する受信手段と、画像を表示する表示部とを備えたタグ装置において、前記受信手段により受信された信号が、前記表示部に表示される画像の表示を指示する表示データであった場合に、その表示データに基づいた画像を前記表示部に表示させる表示実行手段を備えている。
【００２０】
請求項１５記載のタグ装置は、請求項１４記載のタグ装置において、前記表示実行手段により前記表示データに基づいた画像が前記表示部に表示されてから、所定時間が経過したか否かを判断する時間判断手段を備え、前記表示実行手段は、前記表示データを受信した場合にその表示データに基づいた画像を前記表示部に表示すると共に、前記時間判断手段により所定時間が経過したと判断された場合に前記表示部の表示を通常状態に戻す。
【００２１】
なお、表示部に表示される通常状態とは、通常状態を示す表示をする場合だけでなく、表示部を未表示とした場合も含む。
【００２２】
請求項１６記載のタグ装置は、請求項１４記載のタグ装置において、前記通信装置は、前記表示データを送信する場合に操作される操作手段を備え、その操作手段が操作されているあいだ前記表示データを送信するものであり、前記表示実行手段は、前記表示データを受信している間、その表示データに基づいた画像を前記表示部に表示する。
【００２３】
請求項１７記載の情報通信システムは、請求項１から１３のいずれかに記載の通信装置と、請求項１４から１６のいずれかに記載のタグ装置とを備えている。
【００２４】
なお、各請求項において、表示部とは、予め定められた表示をするものであっても良いし、不揮発性の表示部を有し表示を書き換え可能に構成するものであっても良い。不揮発性の表示部には、例えば、電子ペーパーからなる表示装置や、有機発光素子を用いた表示装置、電気永動式の表示装置などがあげられる。
【発明の効果】
【００２５】
請求項１記載の通信装置によれば、検索対象となる対象物の特定情報が選択手段により選択され、その選択手段により選択された特定情報が記憶されたタグ装置または特定情報と関連する特定情報が記憶された他のタグ装置に、そのタグ装置の表示部の表示を指示する表示データが送信手段により送信される。よって、特定情報が選択されると、特定情報を記憶するタグ装置と、その特定情報と関連する特定情報が記憶された他のタグ装置とに表示データが送信されるので、特定情報を記憶するタグ装置の表示部に画像を表示させるだけでなく、関連する他のタグ装置の表示部にも画像を表示させることができる。従って、操作者は、特定情報を選択するだけで、特定情報を記憶するタグ装置が装着された対象物と、関連するタグ装置が装着された対象物とを検索することができるので、対象物の検索作業を簡略化することができるという効果がある。
【００２６】
また、特定情報を記憶するタグ装置または関連する特定情報を記憶する他のタグ装置に表示データが送信されるので、特定情報に全く関連していないタグ装置の表示部に所定の表示がされることがない。よって、複数のタグ装置が検索されたとしても、それぞれ関連したタグ装置となるので、操作者は所望の対象物を容易に検索することができるという効果がある。
【００２７】
請求項２記載の通信装置によれば、請求項１記載の通信装置の奏する効果に加え、選択手段により選択された特定情報と、送信手段により表示データが送信される送信先のタグ装置に記憶される特定情報との関連に応じて、その送信先のタグ装置の表示部で表示される画像の表示態様が第１表示設定手段により設定され、その第１表示設定手段により設定された表示データが送信手段により送信先のタグ装置に送信される。よって、送信先のタグ装置には、選択手段により選択された特定情報との関連に応じた画像が表示されるので、選択した特定情報を記憶するタグ装置が装着された対象物に関連する対象物を操作者に容易に認識させることができるという効果がある。
【００２８】
また、選択手段により選択された特定情報との関連に応じた画像が送信先のタグ装置で表示されるので、選択した特定情報を記憶するタグ装置が装着された対象物に関連する対象物が複数ある場合でも、対象物の関連の程度を操作者に認識させることができるという効果がある。
【００２９】
請求項３記載の通信装置によれば、請求項１又は２に記載の通信装置の奏する効果に加え、タグ装置に記憶される関連情報が関連情報取得手段により取得され、選択手段により選択された特定情報と、関連情報取得手段により関連情報を取得したタグ装置の特定情報とが、その関連情報により関連付けられている場合に、その関連情報を取得したタグ装置に対して表示データが送信手段により送信される。よって、関連情報を取得したタグ装置の特定情報と、選択した特定情報とが関連付けされている場合に、その関連情報を取得したタグ装置に表示データが送信されるので、選択された特定情報に関連するタグ装置の表示部に画像が表示される。例えば、選択された特定情報に関連されていないタグ装置にも関連していない旨の画像が表示される場合には、全てのタグ装置に表示がなされる為、操作者は、全てのタグ装置の表示を確認しなければならない。しかし、関連したタグ装置の表示部にのみ画像が表示されるので、画像が表示されたタグ装置が装着された対象物が、所望する対象物に関連するものであることを操作者に認識させることができるという効果がある。
【００３０】
請求項４記載の通信装置によれば、請求項３記載の通信装置の奏する効果に加え、選択手段により選択された特定情報と、関連情報取得手段により関連情報を取得したタグ装置の特定情報との関連に応じた表示態様が、その取得した関連情報に基づいて第２表示設定手段により設定され、その第２表示設定手段により設定された表示データが、関連情報を取得したタグ装置に送信される。よって、選択された特定情報に関連する特定情報が記憶されたタグ装置の表示部に画像が表示されるので、選択された特定情報を記憶するタグ装置が装着された対象物に関連する対象物を操作者に容易に認識させることができるという効果がある。
【００３１】
また、選択手段により選択された特定情報との関連に応じた表示データが、関連情報を取得したタグ装置に送信されるので、その関連情報を取得したタグ装置の表示部に関連の程度を示す画像を表示することもできるので、複数の対象物の関連の程度を操作者に認識させることができるという効果がある。
【００３２】
請求項５記載の通信装置によれば、請求項３又は４に記載の通信装置の奏する効果に加え、関連情報は、自己のタグ装置の特定情報が、他のタグ装置の特定情報に対して上位層または下位層あるいは同位層であるかを示す情報であるので、階層構造に応じた表示データをタグ装置に送信すれば、階層関係を示す画像をタグ装置の表示部に表示させることができる。よって、タグ装置が装着された複数の対象物の階層関係を、操作者に容易に認識させることができるという効果がある。
【００３３】
請求項６記載の通信装置によれば、請求項５記載の通信装置の奏する効果に加え、関連情報は、自己のタグ装置の特定情報が他のタグ装置の特定情報に対して、上位層である場合には何階層上位であるか、下位層である場合には何階層下位であるかを示す情報であるので、階層構造に応じた表示データをタグ装置に送信すれば、階層関係における何階層であるかを示す画像をタグ装置の表示部に表示させることができる。よって、タグ装置が装着された複数の対象物の階層関係を、操作者に容易に認識させることができるという効果がある。
【００３４】
請求項７記載の通信装置によれば、請求項１から６のいずれかに記載の通信装置の奏する効果に加え、グループ情報選択手段により選択された所定のグループ情報と、グループ情報取得手段により取得したグループ情報とが同一である場合に、そのグループ情報を取得したタグ装置に表示データが送信される。よって、グループ情報選択手段により選択されたグループ情報と同一グループ情報を記憶するタグ装置の表示部に画像が表示されるので、同一のグループ情報が記憶されたタグ装置が装着された対象物を操作者に認識させることができる。従って、操作者は、所定のグループ情報を選択するだけで、同一のグループに属する対象物を検索することができ、対象物の検索作業を簡略化することができるという効果がある。
【００３５】
請求項８記載の通信装置によれば、請求項７記載の通信装置の奏する効果に加え、グループ情報選択手段により選択されたグループ情報とグループ情報取得手段により取得したグループ情報とが同一であり、且つ、選択手段により選択された特定情報と関連情報取得手段により関連情報を取得したタグ装置の特定情報とが関連情報により関連付けられている場合に、グループ情報を取得したタグ装置および関連情報を取得したタグ装置に表示データが送信手段により送信される。よって、グループ情報が同一となる特定情報が記憶されたタグ装置および選択された特定情報に関連付けされた特定情報が記憶されているタグ装置の表示部に画像が表示されるので、同一グループで且つ関連付けされたタグ装置が装着された対象物を操作者に認識させることができるという効果がある。
【００３６】
請求項９記載の通信装置によれば、請求項１から８のいずれかに記載の通信装置の奏する効果に加え、タグ装置の表示部に画像を表示させる表示時間が表示時間設定手段により設定され、その表示時間設定手段により設定された画像の表示時間を指示する時間信号が表示データと共に送信される。よって、表示データと時間信号との組み合わせによって、タグ装置の表示部に表示される画像と、その画像が表示される表示時間とを指示することができ、タグ装置の表示部に所定時間の間画像を表示させることができる。従って、操作者に対して、タグ装置の表示部の画像を視認させやすくすることができるという効果がある。
【００３７】
また、表示データと時間信号との組み合わせによって、通信装置からの表示データが途絶えたとしても、表示時間の間は画像を表示させることができるので、通信装置が他のタグ装置へ表示データと時間信号とを送信することにより、複数のタグ装置の表示部に画像を同時期に表示させることができる。よって、選択された特定情報を記憶するタグ装置が装着された対象物およびその対象物に関連する対象物、又は、同一のグループ情報が記憶されているタグ装置が装着された対象物とを同時期に検索することができるという効果がある。
【００３８】
請求項１０記載の通信装置によれば、請求項１から９のいずれかに記載の通信装置の奏する効果に加え、外部装置から他のタグ装置の特定情報が他タグ特定情報取得手段により少なくとも一つ以上取得され、その他タグ特定情報取得手段により取得した特定情報から検索対象となる対象物の特定情報が選択手段により選択される。よって、外部装置から取得した他のタグ装置の特定情報から特定情報を選択するので、特定情報の選択作業が容易となり、検索作業の効率を高めることができるという効果がある。
【００３９】
請求項１１記載の通信装置によれば、請求項１０記載の通信装置の奏する効果に加え、タグ装置からそのタグ装置が属するグループ内の他のタグ装置の特定情報が、他タグ特定情報取得手段により少なくとも１つ以上取得されるので、タグ装置に記憶されている特定情報に基づいて特定情報を選択することができる。よって、存在しないタグ情報を選択することがなく、検索作業の効率を高めることができるという効果がある。
【００４０】
請求項１２記載の通信装置によれば、請求項１から１１のいずれかに記載の通信装置の奏する効果に加え、操作者が手入力により入力した特定情報が検索対象となる対象物の特定情報として選択手段により選択されるので、操作者が検索を所望する対象物を検索することができるという効果がある。
【００４１】
請求項１３記載の通信装置によれば、請求項１から１２のいずれかに記載の通信装置の奏する効果に加え、同時に複数の特定情報が選択手段により選択され、その複数の特定情報のうち少なくともいずれか１つが記憶されたタグ装置または選択手段により選択された複数の特定手段のうち少なくともいずれか一つと関連する特定情報が記憶された他のタグ装置に送信手段により表示データが送信される。よって、複数の特定情報が選択された場合には、特定情報が記憶されたタグ装置または関連する特定情報が記憶されたタグ装置の少なくとも１つには表示データが送信されるので、選択手段により選択された特定情報が記憶された検索対象となる対象物を高確率で検索することができるという効果がある。
【００４２】
請求項１４記載のタグ装置によれば、請求項１から１３のいずれかに記載の通信装置から送信される表示データが受信手段により受信されると、その表示データに基づいた表示が表示実行手段により表示部に表示される。よって、請求項１から１３のいずれかに記載の通信装置から送信される表示データに基づく表示を行うので、請求項１から１３のいずれかに記載の通信装置の奏する効果を奏することができる。
【００４３】
請求項１５記載のタグ装置によれば、請求項１４記載のタグ装置の奏する効果に加え、表示実行手段により表示部に表示データに基づく表示がなされてから所定時間が経過したか否かが時間判断手段により判断される。また、表示実行手段は、表示データを受信した場合にその表示データに基づいた表示状態を表示部に表示させると共に、時間判断手段により所定時間が経過したと判断された場合に表示部の表示状態を通常状態にするので、通信装置からリセット信号などを受信することなく表示状態を通常状態に戻すことができる。例えば、リセット信号を受信した場合に、表示状態を初期状態に戻す場合には、通信装置の信号の送受信が不能な状態となると、表示状態を変更することができなくなるが、所定時間が経過した時点で通常状態に戻せるので、表示部の表示が長時間継続されることを防止することができるという効果がある。
【００４４】
請求項１６記載のタグ装置によれば、請求項１４記載のタグ装置の奏する効果に加え、通信装置に設けられた操作手段が操作されると、その操作手段が操作されているあいだ操作信号が操作送信手段により送信され、表示実行手段は、操作信号を受信しているあいだ表示部に表示を行うので、操作者が操作手段を操作しているあいだのみ表示部に表示がなされる。よって、操作者が所望の対象物を検索する作業中のみタグ装置の表示部に表示がなされるので、表示部の表示が長時間継続されることを防止することができるという効果がある。
【００４５】
請求項１７記載の情報通信システムによれば、請求項１から１３のいずれかに記載の通信装置と、請求項１４から１６のいずれかに記載のタグ装置とを備えているので、請求項１から１３のいずれかに記載の通信装置の奏する効果と、請求項１４から１６のいずれかに記載のタグ装置の奏する効果とを奏することができる。
【発明を実施するための最良の形態】
【００４６】
以下、本発明の好ましい実施形態について、添付図面を参照して説明する。図１は、本発明のタグ無線通信システム６０の構成を示した概略図である。なお、タグ無線通信システム６０は、主に、複数の無線タグ装置１０とリーダ・ライタ装置３０とで構成され、複数の無線タグ装置１０とリーダ・ライタ装置３０とは無線通信可能に構成されている。
【００４７】
図１に示すように、無線タグ装置１０は、バインダー２の背表紙に装着されており、そのバインダー２は、本棚７０に収納されている。なお、無線タグ装置１０は、バインダー２の背表紙に装着したが、ＣＤ、ＤＶＤやボックスなどに装着したり、本棚７０に装着したり、如何なるものに装着する構成としても良い。
【００４８】
図１に示すように、無線タグ装置１０は、タグ装置用アンテナ１１と、タグ装置用ディスプレイ１２と、タグ装置用ＩＣ回路部１３とを備えている。タグ装置用アンテナ１１は、リーダ・ライタ装置３０から送信された情報を受信し、受信した情報をタグ装置用ＩＣ回路部１３へ出力すると共に、タグ装置用ＩＣ回路１３から出力された情報をリーダ・ライタ装置３０へ送信するものであり、送受信回路を有している。タグ装置用ディスプレイ１２は、タグ装置用ＩＣ回路部１３から出力される制御信号によって、表示を変更することができる電気泳動方式を採用した不揮発性の表示装置である。タグ装置用ＩＣ回路部１３は、タグ装置用ディスプレイ１２に表示するバインダー２の名称等の情報設定を行う制御部である。尚、無線タグ装置１０には、図示しない電池が備えられており、この電池により無線タグ装置１０の各デバイスに電源が供給される。
【００４９】
ここで、タグ装置用ディスプレイ１２に採用した電気泳動方式について説明する。電気永動式の表示装置の動作原理である電気泳動現象とは、液相分散媒中に微粒子を分散させた分散液に電界を印加したときに、分散によって自然に帯電した粒子（電気泳動粒子）がクーロン力により移動する現象である。この電気泳動方式表示装置は、表示画像保持性能を有しており、電界の印加により一度表示された画像を保持することが可能である。
【００５０】
リーダ・ライタ装置３０は、無線タグ装置１０と無線通信を行う装置であり、アンテナ３１と、ディスプレイ３２と、キーボード３３とを備えている。アンテナ３１は、無線タグ装置１０から送信された情報を受信すると共に、リーダ・ライタ装置３０から出力される情報を送信するものである。ディスプレイ３２は、液晶を利用した表示装置である。キーボード３３は、無線タグ装置１０に送信する情報の入力や、リーダ・ライタ装置３０の機能を変更する場合に操作される十字ボタン３４、機能ボタン３５、タグ表示ボタン３６、決定ボタン３７や複数の丸ボタン３８などを備えている。
【００５１】
十字ボタン３４は、ディスプレイ３２に表示される項目（ラベル名やグループ名など）を選択する場合に操作されるボタンである。例えば、ディスプレイ３２に複数の項目が表示されている場合に、十字ボタン３５を上方向に操作すると、ディスプレイ３２に表示されているカーソルが一つ上に移動して選択される項目が変更される。
【００５２】
機能ボタン３５は、リーダ・ライタ装置３０が有する機能や、検索モードを変更する場合に操作されるボタンである。機能ボタン３５の操作と実行される処理についての説明は後述する。
【００５３】
タグ表示ボタン３６は、無線タグ装置１０のタグ装置用ディスプレイ１２にラベル名などを表示させる場合に操作されるボタンである。本実施形態では、タグ表示ボタン３６が操作されている間、タグ装置用ディスプレイ１２に表示がなされるように構成されている。なお、タグ表示ボタン３６が操作された場合の処理については後述する。
【００５４】
決定ボタン３７は、ディスプレイ３２に表示された項目の決定や、操作者（検索者）に対しての問い合わせの回答を決定する場合に操作されるボタンである。この決定ボタン３７を操作することにより、リーダ・ライタ装置３０への入力が確定（決定）される。
【００５５】
丸ボタン３８は、文字等を入力するために操作されるボタンである。丸ボタン３８には、それぞれに各種の文字等が割り当てられているので、丸ボタン３８を操作することにより、所望の文字等が入力される。そして、入力された文字等はディスプレイ３２に表示される。なお、ここで文字等とは、文字、数字、記号を含む意味である。
【００５６】
次に、図２を参照して、無線タグ装置１０およびリーダ・ライタ装置３０の電気的構成について説明する。図２は、無線タグ装置１０およびリーダ・ライタ装置３０の電気的構成を示したブロック図であり、図２（ａ）は無線タグ装置１０のブロック図であり、図２（ｂ）はリーダ・ライタ装置３０のブロック図である。
【００５７】
まず、図２（ａ）を参照して、無線タグ装置１０の電気的構成について説明する。無線タグ装置１０は、上述したように、タグ装置用アンテナ１１と、タグ装置用ディスプレイ１２と、タグ装置用ＩＣ回路１３とを有している。さらに、タグ装置用ＩＣ回路１３は、タグ装置用送受信機１４と、タグ装置用ＣＰＵ１５と、タグ装置用ＲＯＭ１６と、タグ装置用ＲＡＭ１７と、タグ装置用フラッシュメモリ１８と、タグ装置用入出力ポート１９と、タグ装置用時計２４とを有している。なお、タグ装置用時計２４は、現在時刻を計時するものであり、所定の一定時間が経過したか否かを判別する場合などに参照される。
【００５８】
タグ装置用送受信機１４は、タグ装置用アンテナ１１と信号線２０を介して接続されており、無線タグ装置１０から送信する情報を高周波電流に変えてタグ装置用アンテナ１１に送り出す送信装置と、タグ装置用アンテナ１１が受信した高周波電流から必要な情報を取り出す受信装置とが一体化された装置である。また、タグ装置用送受信機１４は、バスライン２１を介してタグ装置用入出力ポート１９と接続されており、受信された高周波電流から必要な情報を取り出した後に、その取り出した情報をタグ装置用入出力ポート１９に出力する機能と、タグ装置用入出力ポート１９から入力された情報を受け取る機能とを有している。
【００５９】
よって、リーダ・ライタ装置３０から送信された電波をタグ装置用アンテナ１１が受信した場合には、受信した電波をタグ装置用アンテナ１１によって高周波電流に変換し、その変換された高周波電流は信号線２０を介してタグ装置用送受信機１４に入力される。そして、タグ装置用送受信機１４は、入力された高周波電流から必要な情報を取り出し、取り出した必要な情報を、バスライン２１を介してタグ装置用入出力ポート１９に出力する。また、無線タグ装置１０からリーダ・ライタ装置３０に情報を送信する場合には、タグ装置用入出力ポート１９から入力された情報をバスライン２１を介してタグ装置用送受信機１４が受け取り、その受け取った情報を高周波電流に変換し、タグ装置用アンテナ１１に出力する。出力された高周波電流はタグ装置用アンテナ１１により電波に変換され、リーダ・ライタ装置３０に送信される。
【００６０】
タグ装置用ＣＰＵ１５は、バスライン２２により接続された各部を制御する演算装置である。タグ装置用ＲＯＭ１６は、タグ装置用ＣＰＵ１５により実行される制御プログラム（例えば、図１２〜図１４及び図１７に示すフローチャート）を格納した書き換え不能な不揮発性のメモリである。タグ装置用ＲＡＭ１７は、制御プログラムの実行時に各種の情報を一時的に記憶するメモリである。タグ装置用フラッシュメモリ１８は、リーダ・ライタ装置３０から送信された情報を記憶する書き換え可能な不揮発性のメモリである。タグ装置用フラッシュメモリ１８に記憶された各種情報は、入出力ポート１９に接続されたバスライン２３を介してタグ装置用ディスプレイ１２に表示される。
【００６１】
タグ装置用フラッシュメモリ１８には、タグ装置用表示情報メモリ１８ａと、タグ装置用関連情報メモリ１８ｂとが設けられている。タグ装置用表示情報メモリ１８ａは、タグ装置用ディスプレイ１２に表示するグループ名やラベル名の画像情報を記憶するメモリであり、複数の表示態様に対応した画像情報が記憶されている。
【００６２】
タグ装置用関連情報メモリ１８ｂには、タグ装置用グループ・ラベル名情報メモリ１８ｂ１と、タグ装置用階層構造情報メモリ１８ｂ２とが設けられている。タグ装置用グループ・ラベル名情報メモリ１８ｂ１は、無線タグ装置１０の所属する集団であるグループ名を特定する情報と無線タグ装置１０を示すラベル名を特定する情報とを記憶するメモリであり、タグ装置用階層構造情報メモリ１８ｂ２は、無線タグ装置１０同士の関連を示す情報である階層構造の情報を記憶するメモリである。なお、以下の説明において、階層構造情報とは、タグ装置用グループ・ラベル名情報メモリ１８ｂ１と、タグ装置用階層構造情報メモリ１８ｂ２とを含んだ情報である。また、各請求項の「関連情報」は、タグ装置用グループ・ラベル名情報メモリ１８ｂ１と、タグ装置用階層構造情報メモリ１８ｂ２とに記憶される情報を含んだ情報である。
【００６３】
また、タグ装置用フラッシュメモリ１８に記憶されている情報は、リーダ・ライタ装置３０から送信される情報によって書き換えることができる。例えば、リーダ・ライタ装置３０から階層構造情報が信号に変換された電波が送信されると、その電波がタグ装置用アンテナ１１に受信され、タグ装置用送受信機１４により階層構造情報が取り出され、その取り出した階層構造情報はバスライン２１を介してタグ装置用入出力ポート１９に出力される。そして、タグ装置用ＣＰＵ１５により、取り出された階層構造情報の記憶命令が行われ、取り出された階層構造情報はバスライン２２を介して、タグ装置用フラッシュメモリ１８内のタグ装置用表示情報メモリ１８ａ及びタグ装置用関連情報メモリ１８ｂに必要な情報が加工処理されて記憶される。これにより、タグ装置用フラッシュメモリ１８に記憶されている情報は、リーダ・ライタ装置３０から送信される情報によって書き換えられる。
【００６４】
また、階層構造情報の送信を行う場合は、タグ装置用ＣＰＵ１５によりタグ装置用階層構造情報メモリ１８ｂ２から階層構造情報の読み出し命令が行われ、タグ装置用入出力ポート１９を介してタグ装置用送受信機１４へ階層構造情報が出力される。出力された階層構造情報は、タグ装置用送受信機１４により高周波電流信号に変換され、タグ装置用アンテナ１１から送信される。
【００６５】
また、タグ装置用フラッシュメモリ１８に記憶された情報に基づいてタグ装置用ディスプレイ１２に表示する場合には、例えば、タグ装置用ＣＰＵ１５の命令により、タグ装置用フラッシュメモリ１８内のタグ装置用表示情報メモリ１８ａから必要な情報（グループ名を示す画像情報やラベル名を示す画像情報、ラベル名の階層位置を示す画像情報など）が読み出されてタグ装置用ディスプレイ１２に表示される。
【００６６】
ここで、図３を参照して、無線タグ装置１０のタグ装置用フラッシュメモリ１８に記憶される階層構造情報について説明する。図３は、無線タグ装置１０のタグ装置用フラッシュメモリ１８に記憶される階層構造を示した模式図である。
【００６７】
図３に示すように、階層構造の模式図には、グループ名情報５１ｂ１と、ラベル名情報５１ｂ２〜５８ｂ２と、階層構造内の階層位置情報５１ｂ３〜５８ｂ３とが示されている。なお、階層位置情報５１ｂ３〜５８ｂ３の全てをひとまとめにしたものが階層構造情報であり、全ての階層位置情報５１ｂ３〜５８ｂ３を備えた情報である。
【００６８】
グループ名情報５１ｂ１（「グループＡ」を示している）は、１または複数の無線タグ装置１０からなるグループ（集団）の名称を示す情報である。ラベル名情報５１ｂ２〜５８ｂ２が同一集団であることを示す情報であり、このグループ名情報５１ｂ１が、グループＡに所属する全ての無線タグ装置１０のタグ装置用グループ・ラベル名情報メモリ１８ｂ１に記憶されている。本実施形態では、グループ名情報５１ｂ１に示す「グループＡ」には、ラベル名情報５１ｂ２〜５８ｂ２の数に対応した無線タグ装置１０が存在するので、「グループＡ」に所属する無線タグ装置１０は全部で８つとなる。ラベル名情報５１ｂ２〜５８ｂ２は、それぞれの無線タグ装置１０を特定するラベル名を示しており、無線タグ装置１０それぞれに割り当てられている。ラベル名情報５１ｂ２〜５８ｂ２は、グループ名情報５１ｂ１と同様に、グループＡに所属する全ての無線タグ装置１０のタグ装置用グループ・ラベル名情報メモリ１８ｂ１に記憶されている。
【００６９】
階層構造情報は、上記のとおり、全ての階層位置情報５１ｂ３〜５８ｂ３をひとまとめにしたものであり、階層構造内における無線タグ装置１０の階層位置を示している。例えば、階層構造位置情報５２ｂ３である「Ａ：￥Ｂ１￥Ｃ１」からは、ラベル名Ｂ１及びラベル名Ｃ１が、グループＡに属しており、ラベル名Ｂ１の下位層にラベル名Ｃ１が位置づけされていることが示されている。また、階層構造位置情報５４ｂ３，５７ｂ３である「Ａ：￥Ｂ１￥Ｃ１￥Ｄ１￥Ｅ１」及び「Ａ：￥Ｂ１￥Ｃ１￥Ｄ１￥Ｅ２」からは、ラベル名Ｅ１とラベル名Ｅ２とが同位層に位置づけられていることが示されている。なお、詳細な説明は省略するが、他の階層構造位置情報５１ｂ３〜５１ｂ８も同様に、グループ内での階層を示している。
【００７０】
よって、無線タグ装置１０は、タグ装置用グループ・ラベル名情報メモリ１８ｂ１に記憶されているラベル名と、タグ装置用階層構造情報メモリ１８ｂ２に記憶されている階層構造情報とを照合し、ラベル名が含まれる階層位置情報５１ｂ３〜５８ｂ３を検索し、その検索された階層位置情報５１ｂ３〜５８ｂ３に基づいてグループ名およびグループ内での階層を把握することができる。
【００７１】
次に、図２（ｂ）を参照して、リーダ・ライタ装置３０の電気的構成を説明する。リーダ・ライタ装置３０は、アンテナ３１と、ディスプレイ３２と、キーボード３３と、時計３９と、入出力ポート４０と、ＣＰＵ４６と、ＲＯＭ４７と、ＲＡＭ４８と、フラッシュメモリ４９と、送受信機５０とを有している。なお、時計３９は、現在時刻を計時するものである。
【００７２】
送受信機５０は、送信する情報を高周波電流信号に変えてアンテナ３１に送り出す送信装置と、アンテナ３１が受信した高周波電流信号から必要となる情報を取り出す受信装置とが一体化された装置であり、アンテナ３１と信号線４１で接続されている。また、送受信機３５は、バスライン４２を介して入出力ポート４０と接続されており、受信された高周波電流信号から必要となる情報を取り出した後に、その取り出した情報を入出力ポート４０に出力する機能と、入出力ポート４０から入力された情報を受け取る機能を備えている。
【００７３】
よって、無線タグ装置１０からの電波をアンテナ３１が受信した場合には、受信した電波をアンテナ３１によって高周波電流に変換し、その変換された高周波電流は信号線４１を介して送受信機５０に入力される。そして、送受信機５０は、入力された高周波電流から必要な情報を取り出し、取り出した必要な情報を、バスライン４２を介して入出力ポート４０に出力する。また、リーダ・ライタ装置３０から無線タグ装置１０に情報を送信する場合には、入出力ポート４０から入力された情報をバスライン４２を介して送受信機５０が受け取り、その受け取った情報を高周波電流に変換し、アンテナ３１に出力する。出力された高周波電流はアンテナ３１により電波に変換され、無線タグ装置１０に送信される。
【００７４】
ＣＰＵ４６は、バスライン４３により接続された各部を制御する演算装置である。ＲＯＭ４７は、ＣＰＵ４６により実行される制御プログラム（例えば、図４〜図１１に示すフローチャート）や各種テーブルなどを格納した書き換え不能な不揮発性のメモリである。ＲＡＭ４８は、制御プログラムの実行時に利用する情報や無線タグ装置１０から送信された情報を一時的に記憶するメモリである。フラッシュメモリ４９は、無線タグ装置１０へ送信する情報や階層構造情報を記憶する書き換え可能な不揮発性のメモリである。なお、フラッシュメモリ４９に記憶される各種情報は、入出力ポート４０にバスライン４５を介して接続されるキーボード３３からの入力により変更可能に構成されている。また、フラッシュメモリ４９に記憶される各種情報は、入出力ポート４０に接続されたバスライン４４を介してディスプレイ３２に表示することができる。
【００７５】
ＲＯＭ４７には、ラベル表示設定テーブル記憶エリア４７ａが設けられおり、そのラベル表示設定テーブル記憶エリア４７ａには、無線タグ装置１０のディスプレイ１２に表示する表示状態を設定する際に用いられるラベル表示設定テーブル（図１５参照）が記憶されている。なお、ラベル表示設定テーブルの内容は後述する。
【００７６】
ＲＡＭ４８には、受信用表示情報メモリ４８ａと、受信用関連情報メモリ４８ｂとが設けられている。受信用表示情報メモリ３８ａは、無線タグ装置１０のタグ装置用表示情報メモリ１８ａに記憶された情報が無線タグ装置１０から送信された場合に、送信された情報を一時的に記憶するメモリである。
【００７７】
受信用関連情報メモリ４８ｂは、無線タグ装置１０から送信された関連情報を一時的に記憶するメモリであり、受信用グループ・ラベル名情報メモリ４８ｂ１と、受信用階層構造情報メモリ４８ｂ２とを有している。受信用グループ・ラベル名情報メモリ４８ｂ１は、無線タグ装置１０のタグ装置用グループ・ラベル名情報メモリ１８ｂ１に記憶された情報が無線タグ装置１０から送信された場合に、送信された情報を記憶するメモリであり、受信用階層構造情報メモリ４８ｂ２は、無線タグ装置１０のタグ装置用階層構造情報メモリ１８ｂ２に記憶された情報が無線タグ装置１０から送信された場合に、送信された情報を記憶するメモリである。
【００７８】
受信用表示情報メモリ４８ａ及び受信用関連情報メモリ４８ｂに記憶された情報は、無線タグ装置１０から送信される情報によって書き換えられる。例えば、無線タグ装置１０から階層構造情報が電波で送信されると、その電波がアンテナ３１に受信され、送受信機５０により階層構造情報が取り出され、その取り出された階層構造情報はバスライン４２を介して入出力ポート４０に出力される。そして、ＣＰＵ４６により、取り出された階層構造情報の記憶命令が行われ、取り出された階層構造情報はバスライン４３を介して、ＲＡＭ４８内のそれぞれの記憶エリアに記憶される。
【００７９】
また、無線タグ装置１０から受信してＲＡＭ４８に記憶された情報は、キーボード３３の操作により、ディスプレイ３２に表示することができる。例えば、キーボード３３の操作により階層構造情報の読み出し操作が行われたときは、ＣＰＵ４６により受信用階層構造情報メモリ４８ｂ２に記憶された階層構造情報の読み出し命令が行われ、階層構造情報が読み出される。ＣＰＵ４６は読み出された階層構造情報を用いて、ディスプレイ３２に階層構造情報の表示を行うように命令する。この命令により、ディスプレイ３２に階層構造情報の表示が実行される。更に、ディスプレイ３２に表示された情報をキーボード３３からの入力によって書き換えて、その書き換えた情報をＲＡＭ４８のそれぞれの記憶エリアに記憶することもできる。
【００８０】
フラッシュメモリ４９には、機能カウンタ４９ａと、記憶用表示情報メモリ４９ｂと、記憶用関連情報メモリ４９ｃとが設けられている。機能カウンタ４９ａは、リーダ・ライタ装置３０の備える機能（図５参照）を変更する機能カウンタの値を記憶するメモリである。機能カウンタ４８ｃは、操作者により選択された処理を実行するために、各処理に対応した値が記憶され、後述する機能選択処理（図４参照）により０〜４の値が記憶される。
【００８１】
記憶用表示情報メモリ４９ｂは、無線タグ装置１０に送信する表示状態の情報を記憶するメモリである。記憶用関連情報メモリ４９ｃは、記憶用グループ・ラベル名情報メモリ４９ｃ１および記憶用階層構造情報メモリ４９ｃ２を有している。記憶用グループ・ラベル名情報メモリ４９ｃ１は、無線タグ装置１０に送信するグループ名やラベル名を特定する情報を記憶するメモリであり、記憶用階層構造情報メモリ４９ｃ２は、無線タグ装置１０に送信する階層構造情報を記憶するメモリである。
【００８２】
なお、下記の処理でラベルの階層構造を構築した場合、その構築された階層構造の状態が記憶用階層構造情報メモリ４９ｃ２に記憶される。また、記憶用階層構造情報メモリ４９ｃ２だけに記憶するのではなく、ネットワーク上の外部装置（図示せず）のメモリに記憶するように構成してもよい。
【００８３】
記憶用表示情報メモリ４９ｂ及び記憶用関連情報メモリ４９ｃに記憶された情報は、受信用表示情報メモリ４８ａ及び受信用関連情報メモリ４８ｂに記憶された情報と同様に、ディスプレイ３２に表示することができるし、ディスプレイ３２に表示された情報を書き換えることができる。なお、ディスプレイ３２への表示方法および書き換え方法は、受信用表示情報メモリ４８ａ及び受信用関連情報メモリ４８ｂの場合と同様であるので、詳細な説明は省略する。
【００８４】
次に、図４及び図５を参照して、リーダ・ライタ装置３０のＣＰＵ４６により実行される機能選択処理について説明する。図４は、リーダ・ライタ装置３０のＣＰＵ４６により実行される機能選択処理を示したフローチャートである。図５は、リーダ・ライタ装置３０の機能カウンタ４９ａに記憶される値と対応する機能処理を示した図である。なお、機能選択処理は、リーダ・ライタ装置３０の機能ボタン３６が操作されると実行され、実行する機能（処理）を選択する処理である。
【００８５】
まず、図５を参照して、機能カウンタ４９ａの値と、その機能カウンタ４９ａの値に対応した処理について説明する。機能カウンタ４９ａの値が０のときは、リーダ・ライタ装置３０の機能が最上位タグ構築処理に設定される。最上位タグ構築処理は、例えば、グループ名Ａを作成し、そのグループ名Ａの最上位タグを作成する処理であり、本実施形態では、ラベル名Ｂ１を作成する処理である。機能カウンタ４９ａの値が１のときは、リーダ・ライタ装置３０の機能が付属タグ構築処理に設定される。付属タグ構築処理では、ラベル名Ｂ１に付属する付属タグを構築する処理であり、本実施形態では、ラベル名Ｃ１〜Ｆ２を作成する処理である。機能カウンタ４９ａの値が２のときは、リーダ・ライタ装置３０の機能が情報転送処理に設定される。情報転送処理では、最上位タグ構築処理および付属タグ構築処理で作成された階層構造情報、即ち、グループ名Ａの階層構造情報を無線タグ装置１０に転送する処理である。機能カウンタ４９ａの値が３のときは、リーダ・ライタ装置３０の機能が参照処理に設定される。参照処理では、無線タグ装置１０のタグ装置用関連情報メモリ１８ｂに記憶される情報を取得し、記憶用関連情報メモリ４９ｃに記憶されている情報と照合し、グループ名Ａの階層構造情報が同一のものであるか否かを判別し、異なる場合には書換えを行う処理である。機能カウンタ４９ａの値が４のときは、リーダ・ライタ装置３０の機能が検索処理に設定される。この検索処理の詳細な説明については後述する。
【００８６】
次に、図４を参照して、機能選択処理について説明する。操作者により機能ボタン３６が操作されて機能選択処理が実行されると、まず、実行可能な機能の一覧がディスプレイ３２に表示される（Ｓ１）。本実施形態では、上述したように、実行可能な機能処理としては、最上位タグ構築処理および、付属タグ構築処理、情報転送処理、参照処理、検索処理があり、この５つの機能がディスプレイ３２に表示される。操作者は、十字ボタン３４と決定ボタン３７により、所望の機能を選択することができる。
【００８７】
次に、Ｓ２〜Ｓ５の処理で、操作者により選択された処理（機能）を判別する。Ｓ２の処理では、操作者により選択された処理が最上位タグ構築処理であるか否かが判別され、Ｓ３の処理では、操作者により選択された処理が付属タグ構築処理であるか否かが判別され、Ｓ４の処理では、操作者により選択された処理が情報転送処理であるか否かが判別され、Ｓ５の処理では、操作者により選択された処理が参照処理であるか否かが判別される。
【００８８】
そして、操作者によって最上位タグ構築処理が選択されていれば（Ｓ２：Ｙｅｓ）、機能カウンタ４９ａの値を０に設定して、ディスプレイ３２に最上位タグ構築処理が選択されたことを表示する（Ｓ６）。また、操作者によって付属タグ構築処理が選択されていれば（Ｓ２：Ｎｏ、Ｓ３：Ｙｅｓ）、機能カウンタ４９ａの値を１に設定して、ディスプレイ３２に付属タグ構築処理が選択されたことを表示する（Ｓ７）。また、操作者によって情報転送処理が選択されていれば（Ｓ２：Ｎｏ、Ｓ３：Ｎｏ、Ｓ４：Ｙｅｓ）、機能カウンタ４９ａの値を２に設定して、ディスプレイ３２に情報転送処理が選択されたことを表示する（Ｓ８）。また、操作者によって参照処理が選択されていれば（Ｓ２：Ｎｏ、Ｓ３：Ｎｏ、Ｓ４：Ｎｏ、Ｓ５：Ｙｅｓ）、機能カウンタ４９ａの値を３に設定して、ディスプレイ３２に参照処理が選択されたことを表示する（Ｓ９）。また、操作者によって検索処理が選択されていれば（Ｓ２：Ｎｏ、Ｓ３：Ｎｏ、Ｓ４：Ｎｏ、Ｓ５：Ｎｏ）、機能カウンタ４９ａの値を４に設定して、ディスプレイ３２に検索処理が選択されたことを表示する（Ｓ１０）。
【００８９】
なお、リーダ・ライタ装置３０のＣＰＵ４６は、機能カウンタ４９ａの値を参照して、その値に応じた処理を実行する。
【００９０】
次に、図６〜図１１を参照して、リーダ・ライタ装置３０のＣＰＵ４６により実行される検索処理について説明する。
【００９１】
図６は、リーダ・ライタ装置３０のＣＰＵ４６により実行される検索処理を示したフローチャートである。この検索処理は、機能選択処理（図４参照）によって、リーダ・ライタ装置３０で実行される機能として検索処理が操作者によって選択された場合に実行される。
【００９２】
検索処理が実行されると、まず、検索方法をディスプレイ３２に表示する（Ｓ１１）。Ｓ１１の処理が実行されると、ディスプレイ３２には、検索方法として、「手入力検索」、「データベース検索」および「データ取込検索」の３つが表示される。操作者は、十字ボタン３４によりカーソル位置を検索方法のいずれか１つに移動させ、決定ボタン３７を操作して検索方法を決定することができる。
【００９３】
そして、Ｓ１２の処理では、決定された検索方法が手入力検索であるか否かが判別され（Ｓ１２）、決定された検索方法が手入力検索であれば（Ｓ１２：Ｙｅｓ）、手入力検索処理を実行し（Ｓ１３）、検索処理を終了する。また、Ｓ１２の処理で、決定された検索方法が手入力検索でなければ（Ｓ１２：Ｎｏ）、決定された検索方法がデータベース検索か否かが判別され（Ｓ１４）、決定された検索方法がデータベース検索であれば（Ｓ１４：Ｙｅｓ）、データベース検索処理を実行し（Ｓ１５）、検索処理を終了する。また、Ｓ１４の処理で、決定された検索方法がデータベース検索でなければ（Ｓ１４：Ｎｏ）、決定された検索方法が手入力検索でもデータベース検索でもないので、データ取込検索処理を実行し（Ｓ１６）、検索処理を終了する。
【００９４】
よって、本実施形態では、検索方法として、手入力検索処理、データベース検索処理およびデータ取得検索処理との３種類の検索処理によりラベル名やグループ名を入力することができるので、検索するラベル名やグループ名に応じて、入力方法を選択することができる。
【００９５】
図７は、リーダ・ライタ装置３０のＣＰＵ４６により実行される手入力検索処理を示したフローチャートである。手入力検索処理は、検索処理（図６参照）において、手入力検索処理が選択された場合に（Ｓ１２：Ｙｅｓ）、実行される。
【００９６】
手入力検索処理が実行されると、まず、入力モードをディスプレイ３２に表示する（Ｓ２１）。ディスプレイ３２には、入力モードとして、「ラベル名入力モード」、「グループ名入力モード」、「ワイルドキャラクタ・ラベル名入力モード」、「ワイルドキャラクタ・グループ名入力モード」及び「組合入力モード」の５つが表示される。操作者は、十字ボタン３４によりカーソル位置をいずれか１つの入力モードに移動させ、決定ボタン３７を操作することで、入力モードを決定することができる。
【００９７】
なお、ラベル名入力モードとは、ラベル名をそのまま入力するモードであり、グループ名入力モードとは、グループ名をそのまま入力するモードであり、組合入力モードとは、所定のグループに属するラベル（無線タグ装置１０が装着されたバインダー２）を検索するためにラベル名とグループ名とを組み合わせて入力するモードである。
【００９８】
また、ワイルドキャラクタ・ラベル名入力モードで、例えば、ラベル名に「あいう」という文字列を含む無線タグ装置１０を検索する場合に、「＊あいう＊」、「＊あいう」、「あいう＊」と入力する。なお、「＊」は、その部分にどのような文字列が配列されていても良いことを示す。また、ワイルドキャラクタ・グループ名入力モードは、例えば、「＊あいう＊」、「＊あいう」、「あいう＊」と入力し、属するグループ名に「あいう」という文字列を含むグループに属する無線タグ装置１０を検索する場合の入力モードである。たとえば、「あいう＊」と入力された場合は「あいう１」、「あいう２」、「あいうえお」等のグループ名に属する無線タグ装置１０が検索される。
【００９９】
Ｓ２１の処理で、入力モードが表示されたら、次に、Ｓ２２〜Ｓ２５の処理で、操作者により選択された入力モードを判別する。Ｓ２２の処理では、操作者によってラベル名入力モードが選択されたか否かが判別され、Ｓ２３の処理では、操作者によってグループ名入力モードが選択されたか否かが判別され、Ｓ２４の処理では、操作者によってワイルドキャラクタ・ラベル名入力モードが選択されたか否かが判別され、Ｓ２５の処理では、操作者によってワイルドキャラクタ・グループ名が選択されたか否かが判別される。
【０１００】
操作者によって選択された入力モードがラベル名入力モードであれば（Ｓ２２：Ｙｅｓ）、ラベル名入力処理を実行し（Ｓ２６）、Ｓ３１の処理へ移行する。また、操作者によって選択された入力モードがグループ名入力モードであれば（Ｓ２２：Ｎｏ、Ｓ２３：Ｙｅｓ）、グループ名入力処理を実行し（Ｓ２７）、Ｓ３１の処理へ移行する。また、操作者によって選択された入力モードがワイルドキャラクタ・ラベル名入力モードであれば（Ｓ２２：Ｎｏ、Ｓ２３：Ｎｏ、Ｓ２４：Ｙｅｓ）、ワイルドキャラクタ・ラベル名入力処理を実行し（Ｓ２８）、Ｓ３１の処理へ移行する。また、操作者によって選択された入力モードがワイルドキャラクタ・グループ名入力モードであれば（Ｓ２２：Ｎｏ、Ｓ２３：Ｎｏ、Ｓ２４：Ｎｏ、Ｓ２５：Ｙｅｓ）、ワイルドキャラクタ・グループ名入力処理を実行し（Ｓ３１）、Ｓ３１の処理へ移行する。また、操作者によって選択された入力モードが組合入力モードであれば（Ｓ２２：Ｎｏ、Ｓ２３：Ｎｏ、Ｓ２４：Ｎｏ、Ｓ２５：Ｎｏ）、組合入力処理を実行し（Ｓ３０）、Ｓ３１の処理へ移行する。
【０１０１】
よって、本実施形態では、ファイル名やグループ名の入力情報を手入力で行う場合には、５種類の入力方法を選択できるので、検索するラベル名やグループ名に応じて、入力方法を選択することができる。
【０１０２】
ここで、図８を参照して、Ｓ２６〜Ｓ３０の処理で実行される各入力処理について説明する。図８は、リーダ・ライタ装置３０のＣＰＵ４６により実行される各入力処理を示したフローチャートである。図８（ａ）は、ラベル名入力処理を示したフローチャートであり、図８（ｂ）は、グループ名入力処理を示したフローチャートであり、図８（ｃ）は、ワイルドキャラクタ・ラベル名入力処理を示したフローチャートであり、図８（ｄ）は、ワイルドキャラクタ・グループ名入力処理を示したフローチャートであり、図８（ｅ）は、組合入力処理を示したフローチャートである。
【０１０３】
図８（ａ）に示すラベル名入力処理が実行されると、ラベル名の入力が完了したか否かが判別され（Ｓ５１）、ラベル名の入力が完了するまで、Ｓ５１の処理が繰り返し実行され（Ｓ５１：Ｎｏ）、ラベル名の入力が完了したと判別されると（Ｓ５１：Ｙｅｓ）、ラベル名入力処理を終了する。なお、ラベル名の入力は、上述したように、検索したいラベル名がそのまま入力される。また、ラベル名の入力は、１のラベル名を入力するものであってもよいし、複数のラベル名を入力するものであってもよい。Ｓ５１の処理では、複数のラベル名が入力された場合、その複数のラベル名の入力が完了したか否かを判別するものとする。
【０１０４】
ラベル名の入力は、丸ボタン３８により入力され、決定ボタン３７によりラベル名の入力が完了する。なお、１のラベル名の入力が完了すると、ディスプレイ３２に「次のラベル名入力有り」及び「次のラベル名入力無し」の表示がなされ、複数のラベル名を同時に検索する場合には、十字ボタン３４により次のラベル名入力有りを選択して決定ボタン３７を操作し、ラベル名の入力操作を再度行う。よって、「次のラベル名入力無し」が操作者によって決定された場合に、ラベル名の入力が完了したことになる。
【０１０５】
なお、後述するグループ名入力処理およびワイルドキャラクタ・ラベル名入力処理、ワイルドキャラクタ・グループ名入力処理も、入力完了は操作者の操作により決定される。また、組合入力処理は、１のラベル名と１のグループ名とが入力されるので、グループ名が入力された時点で入力完了と判別される。
【０１０６】
図８（ｂ）に示すグループ名入力処理が実行されると、上述したラベル名入力処理と同様に、グループ名の入力が完了したか否かが判別され（Ｓ６１）、グループ名の入力が完了するまでＳ６１の処理を繰り返し実行し（Ｓ６１：Ｎｏ）、グループ名の入力が完了したら（Ｓ６１：Ｙｅｓ）、グループ名入力処理を終了する。なお、グループ名の入力は、上述したように、検索したいグループ名がそのまま入力される。また、グループ名の入力も複数のグループ名を入力するものであってもよい。Ｓ６１の処理では、複数のグループ名が入力された場合、その複数のグループ名の入力が完了したか否かを判別するものとする。
【０１０７】
図８（ｃ）に示すワイルドキャラクタ・ラベル名入力処理が実行されると、ワイルドキャラクタ・ラベル名の入力が完了したか否かが判別され（Ｓ７１）、ワイルドキャラクタ・ラベル名の入力が完了するまでＳ７１の処理を繰り返し実行し（Ｓ７１：Ｎｏ）、ワイルドキャラクタ・ラベル名の入力が完了したら（Ｓ７１：Ｙｅｓ）、ワイルドキャラクタ・ラベル名入力処理を終了する。なお、ワイルドキャラクタ・ラベル名の入力は、上述したように、例えば、「＊あいう」が入力される。また、ワイルドキャラクタ・ラベル名の入力も複数のワイルドキャラクタのラベル名を入力するものであってもよい。Ｓ７１の処理では、複数のワイルドキャラクタのラベル名が入力された場合、その複数のワイルドキャラクタのラベル名の入力が完了したか否かを判別するものとする。
【０１０８】
図８（ｄ）に示すワイルドキャラクタ・グループ名入力処理が実行されると、ワイルドキャラクタ・グループ名の入力が完了したか否かが判別され（Ｓ８１）、ワイルドキャラクタ・グループ名の入力が完了するまでＳ８１の処理を繰り返し実行し（Ｓ８１：Ｎｏ）、ワイルドキャラクタ・グループ名の入力が完了したら（Ｓ８１：Ｙｅｓ）、ワイルドキャラクタ・グループ名入力処理を終了する。なお、ワイルドキャラクタ・グループ名の入力は、上述したように、例えば、「あいう＊」が入力される。また、ワイルドキャラクタ・グループ名の入力も複数のワイルドキャラクタのグループ名を入力するものであってもよい。Ｓ８１の処理では、複数のワイルドキャラクタのグループ名が入力された場合、その複数のワイルドキャラクタのグループ名の入力が完了したか否かを判別するものとする。
【０１０９】
図８（ｅ）に示す組合入力処理が実行されると、ラベル名及びグループ名の組み合わせ入力が完了したか否かが判別され（Ｓ９１）、グループ名の入力が完了するまでＳ９１の処理を繰り返し実行する（Ｓ９１：Ｎｏ）。グループ名の入力が完了すると（Ｓ９１：Ｙｅｓ）、組合入力処理を終了する。なお、組合入力は、上述したように、検索したいラベル名とグループ名とがそのまま入力される。
【０１１０】
なお、組合入力処理では、ラベル名とグループ名とを入力できるので、例えば、グループ名Ａとラベル名Ｂ１とを入力することで、グループ全体の検索と、そのグループ内の１のファイルの検索とを同時に行うことができる。また、図示しないが、ワイルドキャラクタの組み合わせで検索を行なってもよい。
【０１１１】
図７に戻って、Ｓ３１以降の処理について説明する。Ｓ３１の処理では、任意の無線タグ装置１０にリーダ・ライタ装置３０を近づけ、その無線タグ装置１０をスキャンして、無線タグ装置１０のタグ装置用関連情報メモリ１８ｂに記憶される情報（階層構造情報）を取得する（Ｓ３１）。Ｓ３１の処理で取得される階層構造情報とは、無線タグ装置１０のタグ装置用グループ・ラベル名情報メモリ１８ｂ１とタグ装置用階層構造情報メモリ１８ｂ２とに記憶されている情報である。また、無線タグ装置１０から送信されるデータには、その無線タグ装置１０を特定する情報が含まれているので、どの無線タグ装置１０からデータを受信したかをリーダ・ライタ装置３０で認識することができる。
【０１１２】
Ｓ３２の処理では、無線タグ装置１０から階層構造情報が取得できたか否かを判別する（Ｓ３２）。例えば、無線タグ装置１０が初期状態である場合には、タグ装置用関連情報メモリ１８ｂにも階層構造情報が記憶されていない。階層構造情報を取得できなければ、スキャンした無線タグ装置１０のラベル名およびグループ名も不明となり、検索処理を実行する必要がない。そこで、Ｓ３２の処理で、無線タグ装置１０から階層構造情報を取得できたか否かを判別している。
【０１１３】
Ｓ３２の処理で、無線タグ装置１０から階層構造情報を取得できなかったと判別された場合には（Ｓ３２：Ｎｏ）、そのまま、本処理を終了するか否かを判別する（Ｓ３３）。本実施形態では、無線タグ装置１０から階層構造情報を取得できなかった場合には、ディスプレイ３２に「終了？」の表示を行い、ユーザに終了するか否かの問い合わせをする。
【０１１４】
そして、ユーザによって終了が選択された場合には（Ｓ３３：Ｙｅｓ）、手入力検索処理を終了し、ユーザによって終了が選択されなかった場合には（Ｓ３３：Ｎｏ）、再度、他の無線タグ装置１０から階層構造情報を取得するために、Ｓ３１の処理へ移行する。
【０１１５】
一方、Ｓ３２の処理で、無線タグ装置１０から階層構造情報を取得できたと判別された場合には（Ｓ３２：Ｙｅｓ）、操作者によって選択された検索モードが組み合わせのラベル名の検索（組合入力モードが操作者により選択された）か否かを判別し（Ｓ３４）、組み合わせのラベル名の検索であれば（Ｓ３４：Ｙｅｓ）、Ｓ３０の処理で入力されたデータと、Ｓ３１の処理で取得した階層構造情報とを組み合わせ照合する（Ｓ３５）。
【０１１６】
Ｓ３５の処理で実行される組み合わせ照合とは、Ｓ３０の処理で入力されたラベル名およびグループ名が、Ｓ３１の処理で取得した階層構造情報に含まれているか否かを検出するものである。なお、図示しないが、照合した結果は、ＲＡＭ４８の所定エリアに記憶される。
【０１１７】
Ｓ３４の処理で、組み合わせのラベル名の検索でないと判別されると（Ｓ３４：Ｎｏ）、操作者によって選択された検索モードがワイルドキャラクタの検索（ワイルドキャラクタ・ラベル名入力モード又はワイルドキャラクタ・グループ名入力モードが操作者により選択された）か否かを判別する（Ｓ３５）。
【０１１８】
Ｓ３６の処理で、ワイルドキャラクタの検索であると判別されると（Ｓ３６：Ｙｅｓ）、Ｓ２８の処理で入力されたワイルドキャラクタ・ラベル名のデータまたはＳ２９の処理で入力されたワイルドキャラクタ・グループ名のデータと、Ｓ３１の処理で取得した階層構造情報とをワイルドキャラクタ照合する（Ｓ３７）。
【０１１９】
Ｓ３７の処理で実行されるワイルドキャラクタ照合とは、Ｓ２８及びＳ２９の処理で入力されたワイルドキャラクタ・ラベル名およびワイルドキャラクタ・グループ名が、Ｓ３１の処理で取得した階層構造情報に含まれているか否かを検出するものである。なお、図示しないが、照合した結果は、ＲＡＭ４８の所定エリアに記憶される。
【０１２０】
Ｓ３６の処理で、ワイルドキャラクタの検索でないと判別されると（Ｓ３６：Ｎｏ）、組み合わせの検索でもなく、ワイルドキャラクタの検索でもないので、Ｓ２６の処理で入力されたラベル名またはＳ２７の処理で入力されたグループ名のデータと、Ｓ３１の処理で取得した階層構造情報とを通常照合する（Ｓ３８）。
【０１２１】
Ｓ３８の処理で実行される通常照合とは、Ｓ２６及びＳ２７の処理で入力されたラベル名およびグループ名が、Ｓ３１の処理で取得した階層構造情報に含まれているか否かを検出するものである。なお、図示しないが、照合した結果は、ＲＡＭ４８の所定エリアに記憶される。
【０１２２】
Ｓ３５又はＳ３７、Ｓ３８の処理が終わると、検索実行処理が実行され（Ｓ３９）、リターンか終了かを判別する（Ｓ４０）。Ｓ４０の処理では、後述する検索実行処理内のＳ１６９の処理（図１１参照）において終了が選択されたか否かを判別し、操作者により終了が選択されていなければ（Ｓ４０：リターン）、他の無線タグ装置１０をスキャンするためにＳ３１の処理へ戻り（リターン）、操作者により終了が選択された場合には（Ｓ４０：終了）、手入力検索処理を終了する。なお、Ｓ３１の処理へ戻った場合には、操作者の操作に基づき他の無線タグ装置１０をスキャンして階層構造情報を取得し、Ｓ３１以降の処理を実行する。このＳ３１以降の処理を繰り返すことで、複数の無線タグ装置１０のラベル名やグループ名を視認して検索することができる。
【０１２３】
図９は、リーダ・ライタ装置３０のＣＰＵ４６により実行されるデータベース検索処理を示したフローチャートである。データベース検索処理は、検索処理（図６参照）において、データベース検索処理が選択された場合に（Ｓ１４：Ｙｅｓ）、実行される。なお、データベース検索処理において、手入力検索処理と同様の処理については、その詳細な説明を省略する。
【０１２４】
データベース検索処理が実行されると、まず、管理されている情報が記憶されている記憶用関連情報メモリ４９ｃの記憶用グループ・ラベル名情報メモリ４９ｃ１及び記憶用階層構造情報メモリ４９ｃ２から全ての階層構造情報を読み出し（Ｓ１０１）、その読み出した階層構造情報をディスプレイ３２に表示する（Ｓ１０２）。本実施形態では、ディスプレイ３２に、複数のグループが階層状態（例えば、図３のような状態）で表示され、操作者は、十字ボタン３４によりグループ名またはラベル名にカーソルを移動させ、決定ボタン３７によりグループ名またはラベル名を決定することができる。また、ラベル名およびグループ名は、１のラベル名およびグループ名を選択するものであってもよいし、複数のラベル名およびグループ名を選択するものであってもよい。
【０１２５】
Ｓ１０３の処理では、操作者によって選択されたグループ名またはラベル名を検出し（Ｓ１０３）、操作者によってラベル名が選択されたか否かを判別する（Ｓ１０４）。Ｓ１０４の処理で、操作者によってラベル名が選択されたと判別されると（Ｓ１０４：Ｙｅｓ）、選択されたラベル名が属するグループ名を特定する情報と選択されたラベル名を特定する情報とを、記憶用グループ・ラベル名情報メモリ４９ｃ１から取り込み（Ｓ１０５）、Ｓ１０７の処理へ移行する。
【０１２６】
一方、Ｓ１０４の処理で、操作者によってグループ名が選択されていると判別されると（Ｓ１０４：Ｎｏ）、選択されたグループ名に対応した階層構造情報を、記憶用階層構造情報メモリ４９ｃ２から取り込み（Ｓ１０６）、Ｓ１０７の処理へ移行する。
【０１２７】
Ｓ１０７の処理では、任意の無線タグ装置１０にリーダ・ライタ装置３０を近づけ、その無線タグ装置１０をスキャンして、無線タグ装置１０のタグ装置用関連情報メモリ１８ｂに記憶される情報（階層構造情報）を取得し（Ｓ１０７）、その無線タグ装置１０から階層構造情報が取得できたか否かを判別する（Ｓ１０８）。
【０１２８】
Ｓ１０８の処理で、無線タグ装置１０から階層構造情報を取得できなかったと判別された場合には（Ｓ１０８：Ｎｏ）、操作者によってデータベース検索処理の終了が選択されたか否かを判別し（Ｓ１０９）、操作者によって終了が選択された場合には（Ｓ１０９：Ｙｅｓ）、データベース検索処理を終了し、操作者によって終了が選択されなかった場合には（Ｓ１０９：Ｎｏ）、再度、無線タグ装置１０から階層構造情報を取得するために、Ｓ１０７の処理へ移行する。
【０１２９】
一方、Ｓ１０８の処理で、無線タグ装置１０から階層構造情報を取得できたと判別されると（Ｓ１０８：Ｙｅｓ）、操作者によって選択されＳ１０５又はＳ１０６の処理で取り込まれたデータと、Ｓ１０７の処理で取得した階層構造情報とを照合し（Ｓ１１０）、検索実行処理を実行した後に（Ｓ１１１）、リータンか終了かを判別する（Ｓ１１２）。
【０１３０】
Ｓ１１２の処理では、後述する検索実行処理内のＳ１６９の処理（図１１参照）において終了が選択されたか否かを判別し、操作者により終了が選択されていなければ（Ｓ１１２：リターン）、他の無線タグ装置１０をスキャンするためにＳ１０７の処理へ戻り（リターン）、操作者により終了が選択された場合には（Ｓ１１２：終了）、データベース検索処理を終了する。なお、Ｓ１０７の処理へ戻った場合には、操作者の操作に基づき他の無線タグ装置１０をスキャンして階層構造情報を取得し、Ｓ１０７以降の処理を実行する。このＳ１０７以降の処理を繰り返すことで、複数の無線タグ装置１０のラベル名やグループ名を視認して検索することができる。
【０１３１】
なお、データベース検索処理は、ラベル名およびグループ名をディスプレイ３２で視認して入力することができるので、ラベル名およびグループ名を認識していない場合に適した処理である。
【０１３２】
図１０は、リーダ・ライタ装置３０のＣＰＵ４６により実行されるデータ取込検索処理を示したフローチャートである。データ取込検索処理は、検索処理（図６参照）において、データ取込検索処理が選択された場合に（Ｓ１４：Ｎｏ）、実行される。なお、データ取込検索処理において、手入力検索処理またはデータベース検索処理と同様の処理については、その詳細な説明を省略する。
【０１３３】
データ取込検索処理が実行されると、任意の無線タグ装置１０にリーダ・ライタ装置３０を近づけ、その無線タグ装置１０から階層構造情報を取得する（Ｓ１３１）。Ｓ１３１の階層構造情報の取得は、上述したＳ３１及びＳ１０７の処理で実行される取得方法と同様である。階層構造情報の取得が終わると、その取得した無線タグ装置１０のラベル名が、操作者が検索しようとした目的の目的ラベルであるか否かを操作者に問い合わせする。
【０１３４】
そして、Ｓ１３１の処理で取得した無線タグ装置１０のラベル名が、目的ラベルであれば（Ｓ１３２：Ｙｅｓ）、検索を終了するか否かを操作者に問い合わせし（Ｓ１３３）、検索を終了する場合には（Ｓ１３３：Ｙｅｓ）、データ取込検索処理を終了する。Ｓ１３３の処理で、検索を終了するか否かを操作者に問い合わせすることで、他のラベル名を連続して検索することができる。
【０１３５】
一方、Ｓ１３２の処理で、取得した無線タグ装置１０のラベル名が目的ラベルでなかった場合（Ｓ１３２：Ｎｏ）、又は、Ｓ１３３の処理で、操作者により検索の終了が選択されなかった場合には（Ｓ１３３：Ｎｏ）、Ｓ１３１の処理で取得した階層構造情報内（即ち、階層構造情報を取得した無線タグ装置１０が属するグループ内）で、他のラベル名を検索するか否かを操作者に問い合わせし、取得した階層構造情報内で他のラベル名を検索しない場合には（Ｓ１３４：Ｎｏ）、Ｓ１３５の処理へ移行し、取得した階層構造情報内で他のラベル名を検索する場合には（Ｓ１３４：Ｙｅｓ）、Ｓ１４１の処理へ移行する。
【０１３６】
Ｓ１３５の処理では、他の無線タグ装置１０から階層構造情報を取得することなく、データ取込検索処理を終了するか否かを操作者に問い合わせし、操作者によりデータ取込検索処理の終了が選択された場合には（Ｓ１３５：Ｙｅｓ）、そのまま、データ取込検索処理を終了し、操作者によりデータ取込処理の終了が選択されていなければ（Ｓ１３５：Ｎｏ）、他の無線タグ装置１０のスキャンを操作者に指示する（Ｓ１３６）。Ｓ１３６の処理では、ディスプレイ３２に「別の無線タグ装置１０をスキャンして下さい」を表示し、操作者に別の無線タグ装置１０のスキャンを促す。
【０１３７】
Ｓ１３７の処理では、他の無線タグ装置１０から階層構造情報を取得し（Ｓ１３７）、その取得した階層構造情報が、Ｓ１３１の処理で取得した階層構造情報と同じであるか否かを判別する（Ｓ１３８）。操作者により他の無線タグ装置１０から階層構造情報を取得できていれば（Ｓ１３８：Ｎｏ）、Ｓ１３２の処理へ移行し、操作者により同じ無線タグ装置１０から階層構造情報が取得されていれば（Ｓ１３８：Ｙｅｓ）、Ｓ１３５の処理へ移行し、操作者にデータ取込処理を終了するか否かを再度問い合わせする。
【０１３８】
Ｓ１４１の処理では、階層構造情報を取得できており、その取得した階層構造情報内での検索となるので、操作者によって検索する項目が、グループ名が選択されたかラベル名が選択されたか否かを判別し（Ｓ１４１）、操作者によりラベル名が選択されていれば（Ｓ１４１：Ｙｅｓ）、その選択されたラベル名を検出し（Ｓ１４２）、グループ名が選択されていれば（Ｓ１４１：Ｎｏ）、その取得した階層構造情報のグループ名が選択されてことになるので、その取得した階層構造情報のグループ名を検索項目に設定する。なお、階層構造情報から選択されるラベル名は、１のラベル名を選択するものであってもよいし、複数のラベル名を選択するものであってもよい。
【０１３９】
Ｓ１４３の処理では、任意の無線タグ装置１０にリーダ・ライタ装置３０を近づけ、その無線タグ装置１０をスキャンして、無線タグ装置１０のタグ装置用関連情報メモリ１８ｂに記憶される情報（階層構造情報）を取得し（Ｓ１４３）、その無線タグ装置１０から階層構造情報が取得できたか否かを判別する（Ｓ１４４）。
【０１４０】
Ｓ１４４の処理で、無線タグ装置１０から階層構造情報を取得できなかったと判別された場合には（Ｓ１４４：Ｎｏ）、操作者によってデータ取込検索処理の終了が選択されたか否かを判別し（Ｓ１４５）、操作者によって終了が選択された場合には（Ｓ１４５：Ｙｅｓ）、データベース検索処理を終了し、操作者によって終了が選択されなかった場合には（Ｓ１４５：Ｎｏ）、再度、無線タグ装置１０から階層構造情報を取得するために、Ｓ１４３の処理へ移行する。
【０１４１】
一方、Ｓ１４４の処理で、無線タグ装置１０から階層構造情報を取得できたと判別されると（Ｓ１４４：Ｙｅｓ）、操作者によって選択されたラベル名または取得した階層構造情報のグループ名のデータと、Ｓ１４３の処理で取得した階層構造情報とを照合し（Ｓ１４６）、検索実行処理を実行した後に（Ｓ１４７）、操作者によってデータ取込検索処理の終了が選択されたか否かを判別する（Ｓ１４８）。
【０１４２】
Ｓ１４８の処理では、後述する検索実行処理内のＳ１６９の処理（図１１参照）において終了が選択されたか否かを判別し、操作者により終了が選択されていなければ（Ｓ１４８：リターン）、他の無線タグ装置１０をスキャンするためにＳ１４３の処理へ戻り（リターン）、操作者により終了が選択された場合には（Ｓ１４８：終了）、データ取込検索処理を終了する。なお、Ｓ１４３の処理へ戻った場合には、操作者の操作に基づき他の無線タグ装置１０をスキャンして階層構造情報を取得し、Ｓ１４３以降の処理を実行する。このＳ１４３以降の処理を繰り返すことで、複数の無線タグ装置１０のラベル名やグループ名を視認して検索することができる。
【０１４３】
なお、データ取得検索処理は、ラベル名およびグループ名をディスプレイ３２で視認して入力することができるので、ラベル名およびグループ名を認識していない場合に適した処理である。さらに、本棚７０に収納されるバインダー２に装着された無線タグ装置１０から取得した階層構造情報に基づいてラベル名およびグループ名を入力できるので、存在しないラベル名またはグループ名を検索することがなくなり、検索の効率化を図ることができる。
【０１４４】
図１１は、リーダ・ライタ装置３０のＣＰＵ４６により実行される検索実行処理を示したフローチャートである。検索実行処理は、手入力検索処理のＳ３９の処理（図７参照）及び、データベース検索処理のＳ１１１の処理（図９参照）、データ取込検索処理のＳ１４８の処理（図１０参照）において実行される。
【０１４５】
検索実行処理が実行されると、手入力検索処理のＳ３５，Ｓ３７，Ｓ３８の処理で照合された結果、又は、データベース検索処理のＳ１１０の処理で照合された結果、データ取込処理のＳ１４６の処理で照合された結果に基づいて、選択または入力されたデータが、取得された階層構造情報内に含まれており該当するものか否かを判別する（Ｓ１６１）。
【０１４６】
Ｓ１６１の処理で、選択または入力されたデータが非該当と判別されたら（Ｓ１６１：Ｎｏ）、Ｓ１７０の処理へ移行し、選択または入力されたデータが該当すれば（Ｓ１６１：Ｙｅｓ）、検索方法がラベル名の検索であるか否かを判別する（Ｓ１６２）。
【０１４７】
Ｓ１６２の処理で、ラベル名の検索と判別されるのは、各検索処理において、ラベル名が選択または入力された場合と、手入力検索処理においてワイルドキャラクタ・ラベル名入力および組み合わせ入力によりラベル名が入力された場合である。一方、Ｓ１６２の処理で、グループ名の検索と判別されるのは、各検索処理において、グループ名が選択または入力された場合と、手入力検索処理でワイルドキャラクタ・グループ名が入力された場合である。
【０１４８】
Ｓ１６２の処理で、検索方法がラベル名であると判別されたら（Ｓ１６３：Ｙｅｓ）、選択または入力されたラベル名に対して、階層構造情報を取得した無線タグ装置１０が、操作者が検索すべき（所望する）目的ラベル名であるか否かを判別する（Ｓ１６３）。Ｓ１６３の処理で、選択または入力されたラベル名が目的ラベル名である場合には（Ｓ１６３：Ｙｅｓ）、無線タグ装置１０のディスプレイ１２で、目的ラベル名に対応した表示がなされるように無線タグ装置１０に対して指示（表示データを送信）する（Ｓ１６４）。なお、リーダ・ライタ装置３０から送信されるデータには、そのデータを受信可能な無線タグ装置１０を特定する情報が含まれているので、無線タグ装置１０が隣接している場合であっても、所望する無線タグ装置１０にのみ信号を受信させることができる。
【０１４９】
一方、Ｓ１６３の処理で、選択または入力されたラベル名が目的ラベル名でないと判別されると（Ｓ１６３：Ｎｏ）、無線タグ装置１０のディスプレイ１２で、階層構造情報が取得された無線タグ装置１０のラベル名に応じた表示、又は、グループ点滅の表示がなされるように無線タグ装置１０に対して指示し（Ｓ１６５）、Ｓ１６７の処理へ移行する。なお、Ｓ１６５の処理では、操作者により組合入力が選択されグループ名とラベル名とが検索項目となっている場合には、無線タグ装置１０のディスプレイ１２には、ラベル名に応じた表示が優先してなされるように指示を出力し、目的ラベル名または関連するラベル名がなくグループ名が同一であった場合にグループ点滅の指示を送信するように構成されている。
【０１５０】
一方、Ｓ１６２の処理で、検索方法がグループ名の検索であると判別されると（Ｓ１６２：Ｎｏ）、グループ点滅を指示して（Ｓ１６６）、Ｓ１６７の処理へ移行する。なお、Ｓ１６６の処理では、階層構造情報に基づいて、グループ内に属するラベル数の情報を出力すると共に、そのグループ内において既に検索した無線タグ装置１０の数の情報を出力する。その結果、無線タグ装置１０のディスプレイ１２には、例えば、「グループ内のラベル数  １６」と「検索したラベル数  １５」とを表示することができ、操作者に対してグループに属する無線タグ装置１０が後いくつあるかを認識させることができる。よって、操作者は、グループに属する全ての無線タグ装置１０を検索済みであれば、それ以上の検索を実行しないし、まだグループに属する無線タグ装置１０があれば、検索されていない無線タグ装置１０の検索の実行ができる。従って、グループに属するラベル数と検索したラベル数との情報を送信することで、検索の作業の効率向上を図ることができる。
【０１５１】
なお、Ｓ１６６のグループ内に属するラベル数の情報の出力と、そのグループ内において既に検索した無線タグ装置１０の数の情報の出力とは、リーダ・ライタ装置３０のディスプレイ３２で行なっても良い。
【０１５２】
ここで、図１５及び図１６を参照して、Ｓ１６４〜Ｓ１６６の処理で指示される無線タグ装置１０のディスプレイ１２に表示される表示態様について説明する。図１５は、ラベル表示設定テーブル記憶エリア４７ｂに記憶されるラベル表示設定テーブルを示した図である。図１６は、無線タグ装置１０のディスプレイ１２に表示される一例を示した図である。
【０１５３】
図１５に示すラベル表示設定テーブルは、ラベル名の階層位置と、その階層位置に応じた点滅表示の状態と、点滅表示の間隔とが関連付けされて記憶されている。例えば、目的ラベル名となる無線タグ装置１０は、反転表示で且つ点灯表示（固定に対応）する表示態様が記憶されている。なお、図１６（ａ）に示す状態が、反転表示された状態であり、Ｓ１６４の処理により指示される表示態様である。図１６（ａ）に示すように、本実施形態では、「Ａプロジェクト  開発部」の表示が白抜きされた表示態様となっている。
【０１５４】
また、目的ラベル名と同位層となる無線タグ装置１０は、反転表示と通常表示とを０．５秒間隔で点滅表示させる表示態様が記憶されている。図１６（ｂ）に示す状態が、通常表示であるので、同位相の無線タグ装置１０のディスプレイ１２では、図１６（ａ）と図１６（ｂ）との表示態様が０．５秒間隔で変更される。なお、この表示態様は、Ｓ１６５の処理で指示される表示態様の１つである。
【０１５５】
また、目的ラベル名に対して上位１又は上位２となる（例えば、目的ファイル名がファイル名Ｄ１であれば、ファイル名Ｃ１が上位１となりファイル名Ｂ１が上位２となる）無線タグ装置１０は、通常表示と黒表示とが０．５秒又は０．７５秒間隔で点滅表示する表示態様が記憶されている。即ち、図１６（ｂ）に示す表示態様と、真っ黒の表示態様とが０．５秒または０．７５秒間隔で変更される。なお、この表示態様は、Ｓ１６５の処理で指示される表示態様の１つである。
【０１５６】
また、目的ラベル名に対して下位１又は下位２となる無線タグ装置１０は、上位１又は上位２とは逆に、通常表示と白表示とが０．５秒又は０．７５秒で点滅表示する表示態様が記憶されている。即ち、図１６（ｂ）に示す表示態様と、真っ白の表示態様とが０．５秒又は０．７５秒間隔で変更される。なお、この表示態様は、Ｓ１６６の処理で指示される表示態様の１つである。
【０１５７】
また、グループ名が検索されている場合には、ラベル表示設定テーブルのグループを参照して、通常表示を０．７５秒間、及び真っ白な表示を０．２５秒間表示される表示状態が指示される。この表示態様は、Ｓ１６６の処理で指示される表示態様である。
【０１５８】
なお、表示態様は、取得した無線タグ装置１０の階層位置や属するグループを操作者に認識可能な表示であれば良いので、点滅時間や反転表示は適宜設定可能である。また、図１６（ｃ）に示すように、ラベル名を表示するものとしても良いし、図１６（ｄ−１）〜図１６（ｄ−５）に示すように、無線タグ装置１０の階層位置（階層関係（上位１、上位２、下位１、下位２、同位））を表示するものとしても良い。
【０１５９】
ここで、図１１に戻って、検索実行処理のＳ１６７以降の処理について説明する。Ｓ１６７の処理では、リーダ・ライタ装置３０からの信号が途切れた場合の無線タグ装置１０の表示態様を指示する（Ｓ１６７）。本実施形態では、リーダ・ライタ装置３０からの信号が途切れたら、すぐに未表示（通常表示の一部）に戻るように指示がなされる。
【０１６０】
なお、リーダ・ライタ装置３０からの信号が途切れたら、その後、所定時間（例えば、１分間）表示を継続するような指示をするものとしても良い。
【０１６１】
Ｓ１６８の処理では、無線タグ装置１０を再度スキャンする（Ｓ１６８）。Ｓ１６８の処理は、無線タグ装置１０から階層構造情報などを取得する目的でなく、どの無線タグ装置１０とデータの送受信を行っているかを判別するためのものである。このＳ１６８の処理により、検索処理の実行中は、無線タグ装置１０から信号が送信されることになる。
【０１６２】
Ｓ１６９の処理では、操作者に検索処理を終了するか否かの問い合わせし、操作者によって検索処理の終了が選択されると（Ｓ１６９：Ｙｅｓ）、そのまま、検索実行処理を終了し、操作者によって検索処理の終了が選択されなければ（Ｓ１６９：Ｙｅｓ）、Ｓ１６８の処理でスキャンした無線タグ装置１０が前に階層構造情報を取得した無線タグ装置１０と同じであるか否かを判別する（Ｓ１７０）。
【０１６３】
Ｓ１７０の処理で、前に階層構造情報を取得した無線タグ装置１０と同じであると判別されたら（Ｓ１７０：Ｙｅｓ）、無線タグ装置１０の表示を継続して行っていることになるので、Ｓ１６８の処理へ戻り、再度、無線タグ装置１０をスキャンする。
【０１６４】
一方、Ｓ１７０の処理で、前に階層構造情報を取得した無線タグ装置１０と異なるものであると判別されると（Ｓ１７０：Ｎｏ）、次の無線タグ装置１０を表示させる目的で、操作者がリーダ・ライタ装置３０を移動させたことになるので、検索実行処理を終了する。
【０１６５】
次に、図１２を参照して、無線タグ装置１０のタグ装置用ＣＰＵ１５により実行されるデータ送信要求処理について説明する。データ送信処理は、リーダ・ライタ装置３０からデータの送信要求の指示がなされた場合に実行される処理である。図１２は、無線タグ装置１０のタグ装置用ＣＰＵ１５により実行されるデータ送信要求処理を示したフローチャートである。
【０１６６】
リーダ・ライタ装置３０からデータの送信要求の指示を受信すると、まず、タグ装置用関連情報メモリ１８ｂに記憶される全ての情報を読み出し、その読み出した全ての情報をリーダ・ライタ装置３０に送信する（Ｓ２０１）。全ての情報の送信は、上述したように、タグ装置用アンテナ１１を介してリーダ・ライタ装置３０に送信する。そして、受信スタンバイ状態を設定し（Ｓ２０２）、データ送信要求処理を終了する。
【０１６７】
また、無線タグ装置１０は、リーダ・ライタ装置３０から送信される信号を受信しない場合、又は、後述する表示点滅・反転指示処理および表示点滅・反転の起動処理により実行が指示される場合以外は、リーダ・ライタ装置３０から送信される信号の受信機能のみが起動され、その他の機能は起動しない状態（受信スタンバイ状態）となる。
【０１６８】
次に、図１３を参照して、無線タグ装置１０のタグ装置用ＣＰＵ１５により実行される表示点滅・反転指示処理について説明する。表示点滅・反転指示処理は、リーダ・ライタ装置３０から送信される表示を指示する表示データを受信した場合に実行される処理であり、リーダ・ライタ装置３０から表示データを受信した場合に初回のみ起動される処理である。図１３は、無線タグ装置１０のタグ装置用ＣＰＵ１５により実行される表示点滅・反転指示処理を示したフローチャートである。
【０１６９】
表示点滅・反転指示処理が実行されると、受信した表示データに応じた表示をタグ装置用ディスプレイ１２に表示する（Ｓ２１１）。例えば、目的ラベル名または同位相の無線タグ装置１０であれば、反転した表示をし（図１６（ａ）の表示態様）、上位層および下位層の無線タグ装置１０であれば、通常の表示をし（図１６（ｂ）の表示態様）、グループ名の表示をする場合も、通常の表示をする（図１６（ｂ）の表示態様）。
【０１７０】
次に、受信した表示データにより指示される点滅間隔に応じて、次の起動タイミングと、表示態様とを設定し（Ｓ２１２）、受信スタンバイ状態をセットして（Ｓ２１３）、表示点滅・反転指示処理を終了する。Ｓ２１２の処理で設定される次の起動タイミングの設定は、点滅の間隔に応じて設定される。なお、目的ラベル名となる無線タグ装置１０である場合には、点滅表示せずに固定の表示となるが、後述する表示点滅・反転の起動処理を実行させるために、例えば、０．５秒を次の起動タイミングに設定する。また、グループ名の表示をする場合には、起動タイミングが０．２５秒と０．７５秒と異なる。図示しないが、Ｓ２１３の処理で設定される次の起動タイミング及び表示態様は、タグ装置用ＲＡＭ１７の所定のエリアに記憶され、後述する表示点滅・反転の起動処理により次の起動タイミング及び表示態様が設定されるごとに更新される。
【０１７１】
次に、図１４を参照して、無線タグ装置１０のタグ装置用ＣＰＵ１５により実行される表示点滅・反転の起動処理について説明する。表示点滅・反転の起動処理は、上述した表示点滅・反転指示処理により設定された起動タイミングとなると実行される処理である。図１４は、無線タグ装置１０のタグ装置用ＣＰＵ１５により実行される表示点滅・反転の起動処理を示したフローチャートである。
【０１７２】
表示点滅・反転の起動処理が実行されると、リーダ・ライタ装置３０からの電波（例えば、スキャン信号）を受信中であるか否かを判別し（Ｓ２２１）、リーダ・ライタ装置３０からの電波を受信していなければ（Ｓ２２１：Ｎｏ）、リーダ・ライタ装置３０からの電波が無くなった後にタグ装置用ディスプレイ１２の表示を一定時間継続して表示する設定がなされているか否かを判別する（Ｓ２２２）。なお、リーダ・ライタ装置３０から一定時間継続して表示を行う指示信号（表示時間を指示する時間信号）が、表示を指示する表示データと共に送信された場合に、一定時間表示の設定が無線タグ装置１０でなされる。また、一定時間は、指示信号を受信した場合に、タグ装置用時計２４から現在時刻を取得し、その取得した時刻から現在時刻との差により判別することができる。
【０１７３】
Ｓ２２２の処理で、一定時間継続して表示する設定がなされていると判別された場合には（Ｓ２２２：Ｙｅｓ）、その一定時間が経過したか否かを判別する（Ｓ２２３）。そして、Ｓ２２２の処理で、一定時間継続して表示する設定がなされていないと判別された場合（Ｓ２２２：Ｎｏ）、又は、Ｓ２２３の処理で、一定時間が経過したと判別された場合には（Ｓ２２３：Ｙｅｓ）、タグ装置用ディスプレイ１２の表示を継続する必要がなくなるので、タグ装置用ディスプレイ１２の表示を通常表示（本実施形態では、未表示）に戻し（Ｓ２２４）、受信スタンバイ状態をセットして（Ｓ２２７）、本処理を終了する。
【０１７４】
Ｓ２２１の処理で、リーダ・ライタ装置からの電波を受信中と判別された場合（Ｓ２２１：Ｙｅｓ）、又は、Ｓ２２３の処理で、一定時間が未だ経過していないと判別された場合には（Ｓ２２３：Ｎｏ）、タグ装置用ディスプレイ１２の表示を継続することになるので、点滅・反転表示の繰り返し処理を実行し（Ｓ２２５）、Ｓ２１２の処理と同様に、受信した表示データに応じて次の起動タイミングと、表示態様とを設定し（Ｓ２２６）、受信スタンバイ状態をセットして（Ｓ２２７）、表示点滅・反転の起動処理を終了する。なお、Ｓ２２５の処理では、Ｓ２１２の処理またはＳ２２６の処理で設定された表示態様の表示が、タグ装置用ディスプレイ１２になされる。
【０１７５】
また、Ｓ２２５の処理の実行が初回の場合は、例えば、目的ラベル名の無線タグ装置１０であれば、反転した表示を継続し（図１６（ａ）の表示態様）、同位相の無線タグ装置１０であれば、通常の表示に変更し（図１６（ｂ）の表示態様）、上位層の無線タグ装置１０であれば、真っ黒の表示に変更し、下位層の無線タグ装置１０であれば、真っ白の表示に変更し、グループ名の表示をする場合も、真っ白の表示に変更する。なお、Ｓ２２５の処理の２回目以降は、階層位置に応じて反転表示するよう表示が変更される。
【０１７６】
以上、説明したように、Ｓ１３の手入力検索処理、Ｓ１５のデータベース検索処理およびＳ１６のデータ取込検索処理（図５参照）によりラベル名が入力または選択された場合には、リーダ・ライタ装置３０を複数の無線タグ装置１０に近づけスキャンすることで、入力または選択された目的ラベル名およびその目的ラベル名の上位層・下位層・同位相となるラベル名も同時期に検索し、無線タグ装置１０のディスプレイ１２にそれぞれを判別可能に表示することができる。よって、複数のバインダー２が関連付けされている場合であっても、１のラベル名を入力または選択することで、目的ラベル名となるバインダー２とその目的ラベル名に関連付けされたラベル名となるバインダー２とを同時期に検索することができる。従って、目的ラベル名となるバインダー２と関連付けされたラベル名となるバインダー２とを検索する場合に、複数回の検索をしなくて良いので、検索作業を簡略化することができる。
【０１７７】
さらに、目的ラベルと、上位層・階層・同位相との表示がそれぞれ異なる表示となるので、複数のバインダー２に装着される無線タグ装置１０のディスプレイ１２に表示がなされていたとしも、そのバインダー２の階層位置を操作者に容易に認識させることができる。
【０１７８】
また、目的ラベル名となるバインダー２と関連付けされたラベル名となるバインダー２に装着された無線タグ装置１０のディスプレイ１２に表示がなされると共に、グループ名を検索した場合にも、そのグループ内に属する（階層構造情報に含まれる）全ての無線タグ装置１０のディスプレイ１２に表示がなされるので、全く関連付けがされていないバインダー２の無線タグ装置１０のディスプレイ１２に表示がなされることがない。よって、操作者は、所望のバインダー２を容易に検索することができる。
【０１７９】
即ち、本実施形態のタグ無線通信システム６０によれば、所望のバインダー２を検索して無線タグ装置１０のディスプレイ１２に表示をすることができるし、所望のバインダー２と関連したバインダー２とを検索して無線タグ装置１０のディスプレイ１２に表示をすることができる。よって、操作者は、必要なバインダー２を簡単に探すことができる。さらに、バインダー２の整理をする際には、グループ全体の無線タグ装置１０のディスプレイ１２に表示させることができるので、簡単にグループ毎にまとめて整理することができるし、関連の程度（階層位置に対応）に応じて整理をすることもできる。
【０１８０】
次に、図１７を参照して、第２の実施形態について説明する。図１７は、第２の実施形態の無線タグ装置１０のタグ装置用ＣＰＵ１５により実行されるアンテナ受信処理を示したフローチャートである。アンテナ受信処理は、リーダ・ライタ装置３０から受信データを受信した場合に実行される処理である。
【０１８１】
また、第１の実施形態は、リーダ・ライタ装置３０で無線タグ装置１０のタグ装置用ディスプレイ１２で表示される表示態様を設定し、その設定された情報に基づいて無前タグ装置１０が表示を行うように構成した。これに代えて、第２の実施形態では、リーダ・ライタ装置３０から照合結果を送信し、タグ装置用ディスプレイ１２に表示される表示態様をリーダ・ライタ装置３０で設定するよう構成した。よって、第１の実施形態の検索実行処理（図１１参照）のＳ１６５〜Ｓ１６７の処理では、それぞれ対応した照合結果を送信する構成とし、表示点滅・反転指示処理（図１３参照）および表示点滅・反転起動処理（図１４参照）に代えて、図１７に示すアンテナ受信処理が実行される構成となる。その他の構成は、第１の実施形態と同様となるので、その第１の実施形態と同様の部分には、同一の符号を付して、その説明は省略する。
【０１８２】
アンテナ受信処理が実行されると、まず、受信データの解析が実行される（Ｓ２３１）。受信データの解析は、受信した信号が何を指示するものかを解析する処理である。Ｓ２３２の処理では、Ｓ２３１の処理で受信データを解析した結果が、該当するか否かを判別する（Ｓ２３２）。Ｓ２３２の処理で該当と判別されるのは、本無線タグ装置１０が、操作者により入力または選択された目的のラベル名であるか、その目的のラベル名が属するグループ内に属している場合である。
【０１８３】
Ｓ２３２の処理で、本無線タグ装置１０が非該当であれば（Ｓ２３１：Ｎｏ）、特に表示をする必要がないので、受信スタンバイ状態をセットして（Ｓ２２７）、アンテナ受信処理を終了する。一方、Ｓ２３２の処理で、本無線タグ装置１０が該当するものであると判別されると（Ｓ２３２：Ｙｅｓ）、タグ装置用ディスプレイ１２に表示をする必要があるので、まず、タグ装置用ディスプレイ１２に表示する表示態様は、ラベル名の表示であるかグループ名の表示でるか否かを判別する（Ｓ２３３）。
【０１８４】
そして、Ｓ２３３の処理で、ラベル名を表示すると判別された場合には（Ｓ２３３：Ｙｅｓ）、受信したデータに基づいてタグ装置用ディスプレイ１２にラベル名の表示を行い（Ｓ２３４）、次の点滅、交互、反転などの起動タイミング、即ち、アンテナ受信処理の起動タイミングを設定すると共に、リーダ・ライタ装置３０からの電波が無くなった場合の表示態様を設定し（Ｓ２３５）、受信スタンバイ状態をセットして（Ｓ２３８）、アンテナ受信処理を終了する。なお、Ｓ２３４及びＳ２３５の処理において設定される表示態様や次の起動タイミングは、第１の実施形態の設定方法と同様の方法であるので、詳細な説明は省略する。
【０１８５】
一方、Ｓ２３３の処理で、グループ名の表示であると判別された場合には（Ｓ２３３：Ｎｏ）、受信したデータに基づいてタグ装置用ディスプレイ１２にグループ名の表示を行い（Ｓ２３６）、次の点滅、交互、反転などの起動タイミング、即ち、アンテナ受信処理の起動タイミングを設定すると共に、リーダ・ライタ装置３０からの電波が無くなった場合の表示態様を設定し（Ｓ２３７）、受信スタンバイ状態をセットして（Ｓ２３８）、本処理を終了する。なお、Ｓ２３６及びＳ２３７の処理において設定される表示態様や次の起動タイミングは、第１の実施形態の設定方法と同様の方法であるので、詳細な説明は省略する。
【０１８６】
以上説明したように、第２の実施形態では、無線タグ装置１０において、タグ装置用ディスプレイ１２に表示される表示態様が設定されているので、リーダ・ライタ装置３０の制御負担を軽減することができる。また、タグ装置用ディスプレイ１２に表示される表示態様を、無線タグ装置１０又はリーダ・ライタ装置３０のどちらで設定するかの違いとなるので、第１の実施形態と同様に、検索作業を簡略化することができるという効果を奏する。
【０１８７】
ここで、図１８及び図１９を参照して、無線タグ装置１０のディスプレイ１２に表示される表示状態が、上記実施形態とは異なる場合について説明する。図１８は、ラベル表示設定テーブルを示した図であり、図１９は、無線タグ装置１０のディスプレイ１２の表示状態を示した図である。
【０１８８】
まず、図１８（ａ）のラベル表示設定テーブルについて説明する。このラベル表示設定テーブルは、リーダ・ライタ装置３０のラベル表示設定テーブル記憶エリア４７ａに記憶されている。なお、このラベル表示設定テーブルは、図１１のＳ１６４〜Ｓ１６６の処理が実行される場合に、上記第１の実施形態のラベル表示設定テーブルに代えて参照される。
【０１８９】
図１８（ａ）に示すラベル表示設定テーブルは、ラベル名の階層位置と、その階層位置に応じた点滅表示の状態と、点滅表示の間隔とが関連付けされて記憶されている。例えば、目的ラベル名となる無線タグ装置１０は、目的の表示と通常表示とが０．５秒間隔で繰り返し表示する表示状態が設定される。この場合の表示状態は、図１９（ａ）に示すように、「Ａプロジェクト  開発部」の通常表示と、「目的」の表示とが０．５秒ずつ表示される。
【０１９０】
また、目的ラベル名と同位層となる無線タグ装置１０は、同列の表示と通常表示とが０．５秒間隔で繰り返し表示する表示状態が設定される。目的ラベル名と上位１，上位２，下位１，下位２となる無線タグ装置１０は、それぞれの階層の表示と通常表示とが０．５秒間隔で繰り返し表示する表示状態が設定される。なお、図示は省略するが、同位相，上位１，上位２，下位１，下位２の表示状態は、図１９（ａ）の「目的」に代えて、「同列」、「上位１」、「上位２」、「下位１」、「下位２」と「Ａプロジェクト  開発部」との表示が点滅表示される。
【０１９１】
次に、図１８（ｂ）に示すラベル表示設定テーブルについて説明する。このラベル表示設定テーブルも、リーダ・ライタ装置３０のラベル表示設定テーブル記憶エリア４７ａに記憶されており、図１１のＳ１６４〜Ｓ１６６の処理が実行される場合に、上記実施形態のラベル表示設定テーブルに代えて参照される。
【０１９２】
図１８（ｂ）に示すラベル表示設定テーブルは、ラベル名の階層位置と、その階層位置に応じた表示の状態と、その表示の表示時間とが関連付けされて記憶されている。なお、表示時間とは、無線タグ装置１０のディスプレイ１２に表示がなされてから初期状態に戻るまでの時間であり、任意に設定可能である。なお、このラベル表示設定テーブルが参照された場合には、表示を指示すると共に任意の表示時間に対応した時間信号も同時に無線タグ装置１０に送信される。
【０１９３】
表示状態の設定としては、目的ラベル名となる無線タグ装置１０は、その全てが反転表示する表示状態が設定されるので、図１６（ａ）の状態となる。また、目的ラベル名と同位層となる無線タグ装置１０は、中央部分の１／２が反転する表示状態が設定され、目的ラベル名と上位１となる無線タグ装置１０は、上１／４の部分が反転する表示状態が設定され、目的ラベル名と上位２となる無線タグ装置１０は、上１／２の部分が反転する表示状態が設定され、目的ラベル名と下位１となる無線タグ装置１０は、下１／２の部分が反転する表示状態が設定され、目的ラベル名と下位２となる無線タグ装置１０は、下１／４の部分が反転する表示状態が設定される。図１９（ｂ）及び図１９（ｃ）には、表示態様の一例を示しており、図１９（ｂ）は、上１／２が反転表示されているので、上位２に対応するラベル名のバインダー２であることを確認でき、図１９（ｃ）は、下１／４が反転表示されているので、下位２に対応するラベル名であることが確認できる。
【０１９４】
なお、図１９（ｄ）に示すように、ラベル名の階層位置に対応した表示をし、その表示領域の一部分を反転表示するように構成しても構わない。さらに、反転される領域を点滅表示しても良いし、図形などを用いても良い。即ち、各ラベル名の階層位置を認識させる表示状態であれば、如何なる表示であっても良い。
【０１９５】
また、その他に、無線タグ装置１０から取得した関連構造情報の数や、関連構造情報に含まれるラベル名の数、今回の検索で検索したラベル数などを、検索情報としてディスプレイ１２に表示しても良いし、バインダー２に収納されている書類の概要などを表示しても良い。
【０１９６】
以上、各実施形態に基づき本発明を説明したが、本発明は上記形態に何ら限定されるものではなく、本発明の趣旨を逸脱しない範囲内で種々の変形改良が可能であることは容易に推察できるものである。
【０１９７】
例えば、上記実施形態では、リーダ・ライタ装置３０は専用機器を用いて実現したが、リーダ・ライタ装置３０はパーソナルコンピュータを用いて実現しても良い。また、階層構造情報は、無線タグ装置１０のタグ装置用フラッシュメモリ１８及びリーダ・ライタ装置３０のフラッシュメモリ４９に記憶されていたが、階層構造情報は、リーダ・ライタ装置３０やパーソナルコンピュータと通信可能な記憶装置に記憶するものとしても良い。なお、通信可能な記憶装置とは、例えば、パーソナルコンピュータが接続されたネットワーク上の記憶装置である。
【０１９８】
また、上記実施形態では、無線タグ装置１０のディスプレイ１２は電気詠動式を採用したが、ディスプレイ１２は、バッテリを内蔵しない表示媒体であり、表示内容を消去して何回でも書き換えることができ、更には、表示された内容を長時間にわたり維持できる電子ペーパー等の不揮発性の表示装置であっても良い。
【０１９９】
また、上記実施形態では、１の無線タグ装置１０と、１のリーダ・ライタ装置３０との間でデータの送受信を行い、無線タグ装置１０のタグ装置用ディスプレイ１２に検索結果に応じた表示を行うように構成したが、１のリーダ・ライタ装置３０と、複数の無線タグ装置１０との間でデータの送受信を行い、複数の無線タグ装置１０のタグ装置用ディスプレイ１２に表示を同時に行わせる構成としても良い。なお、上述したように、本実施形態では、リーダ・ライタ装置３０から送信されるデータに、そのデータを受信可能な無線タグ装置１０を特定する情報を含んで送信すると共に、無線タグ装置１０から送信されるデータに、その無線タグ装置１０を特定する情報を含んで送信するので、１のリーダ・ライタ装置３０に対して複数の無線タグ装置１０との間での送受信を容易に達成することができる。
【０２００】
ここで、本実施形態において、請求項１記載の選択手段としては図５のＳ１３，Ｓ１５，Ｓ１６の処理でラベル名を入力または選択する処理が該当し、請求項２記載の第１表示設定手段としては図１１のＳ１６４〜Ｓ１６６の処理が該当し、請求項３記載の関連情報取得手段としては図７のＳ３１の処理および図９のＳ１０７の処理、図１０のＳ１４３の処理が該当し、請求項４記載の第２表示設定手段としては図１１のＳ１６４〜Ｓ１６６の処理が該当し、請求項７記載のグループ情報選択手段としては図５のＳ１３，Ｓ１５，Ｓ１６の処理でグループ名を入力または選択する処理が該当し、請求項７記載のグループ情報取得手段としては図７のＳ３１の処理および図９のＳ１０７の処理、図１０のＳ１４３の処理が該当し、請求項１０記載の他タグ特定情報取得手段としては図１０のＳ１４３の処理が該当し、請求項１４記載の表示実行手段としては図１３のＳ２１１の処理および図１４のＳ２２５の処理が該当し、請求項１５記載の時間判断手段としては図１４のＳ２２３の処理が該当する。
【図面の簡単な説明】
【０２０１】
【図１】本発明のタグ無線通信システムの構成を示した概略図である。
【図２】無線タグ装置およびリーダ・ライタ装置の電気的構成を示したブロック図であり、（ａ）は無線タグ装置のブロック図であり、（ｂ）はリーダ・ライタ装置のブロック図である。
【図３】無線タグ装置のタグ装置用フラッシュメモリに記憶される階層構造を示した模式図である。
【図４】リーダ・ライタ装置のＣＰＵにより実行される機能選択処理を示したフローチャートである。
【図５】リーダ・ライタ装置の機能カウンタに記憶される値と対応する機能処理を示した図である。
【図６】リーダ・ライタ装置のＣＰＵにより実行される検索処理を示したフローチャートである。
【図７】リーダ・ライタ装置のＣＰＵにより実行される手入力検索処理を示したフローチャートである。
【図８】リーダ・ライタ装置のＣＰＵにより実行される各入力処理を示したフローチャートである。
【図９】リーダ・ライタ装置のＣＰＵにより実行されるデータベース検索処理を示したフローチャートである。
【図１０】リーダ・ライタ装置のＣＰＵにより実行されるデータ取込検索処理を示したフローチャートである。
【図１１】リーダ・ライタ装置のＣＰＵにより実行される検索実行処理を示したフローチャートである。
【図１２】無線タグ装置のタグ装置用ＣＰＵにより実行されるデータ送信要求処理を示したフローチャートである。
【図１３】無線タグ装置のタグ装置用ＣＰＵにより実行される表示点滅・反転指示処理を示したフローチャートである。
【図１４】無線タグ装置のタグ装置用ＣＰＵにより実行される表示点滅・反転の起動処理を示したフローチャートである。
【図１５】ラベル表示設定テーブル記憶エリアに記憶されるラベル表示設定テーブルを示した図である。
【図１６】無線タグ装置のディスプレイに表示される一例を示した図である。
【図１７】第２の実施形態の無線タグ装置のタグ装置用ＣＰＵにより実行されるアンテナ受信処理を示したフローチャートである。
【図１８】ラベル表示設定テーブルを示した図である。
【図１９】無線タグ装置のディスプレイの表示状態を示した図である。
【符号の説明】
【０２０２】
２                  バインダー（対象物）
１０                無線タグ装置（タグ装置）
１２                タグ装置用ディスプレイ（表示部）
１４                タグ装置用送受信機（受信手段）
１８ｂ              タグ装置用関連情報メモリ（タグ側記憶手段）
３０                リーダ・ライタ装置（通信装置）
３６                タグ表示ボタン（操作手段）
５０                送受信機（送信手段）
６０                タグ無線通信システム（情報通信システム）
【図１】
2008250705.tif 000003
【図２】
2008250705.tif 000004
【図３】
2008250705.tif 000005
【図４】
2008250705.tif 000006
【図５】
2008250705.tif 000007
【図６】
2008250705.tif 000008
【図７】
2008250705.tif 000009
【図８】
2008250705.tif 000010
【図９】
2008250705.tif 000011
【図１０】
2008250705.tif 000012
【図１１】
2008250705.tif 000013
【図１２】
2008250705.tif 000014
【図１３】
2008250705.tif 000015
【図１４】
2008250705.tif 000016
【図１５】
2008250705.tif 000017
【図１６】
2008250705.tif 000018
【図１７】
2008250705.tif 000019
【図１８】
2008250705.tif 000020
【図１９】
2008250705.tif 000021